(57)【特許請求の範囲】
【請求項１】
メッセージのブロードキャストをシグナリングするための方法であって、
第１のメッセージがセル内でブロードキャストされるべきであると決定することであって、前記第１のメッセージは、禁止表示を含むことと、
システム情報タイプ３メッセージである第２のメッセージを生成することであって、前記第２のメッセージは、前記第１のメッセージがブロードキャストされるべきであることの表示を備えることと、
前記第２のメッセージを汎用パケット無線サービス（ＧＰＲＳ）および非ＧＰＲＳ無線通信デバイスにブロードキャストすることと、を備える、方法。
【請求項２】
前記表示は、システム情報タイプ３メッセージ内のシステム情報タイプ３レストオクテット内に存在する請求項１に記載の方法。
【請求項３】
前記第１のメッセージは、システム情報タイプ２１メッセージである請求項２に記載の方法。
【請求項４】
前記システム情報タイプ３メッセージは、ＷＨＥＲＥフィールドを備えない請求項３に記載の方法。
【請求項５】
前記システム情報タイプ３メッセージは、システム情報タイプ２１インジケータをさらに備える請求項３に記載の方法。
【請求項６】
前記システム情報タイプ３メッセージは、システム情報タイプ２１位置インジケータをさらに備える請求項３に記載の方法。
【請求項７】
前記システム情報タイプ２１位置インジケータは、ＢＣＣＨ  Ｎｏｒｍに設定される請求項６に記載の方法。
【請求項８】
前記システム情報タイプ２１位置インジケータは、ＢＣＣＨ  Ｅｘｔｅｎｄｅｄに設定される請求項６に記載の方法。
【請求項９】
前記システム情報タイプ３メッセージは、ＷＨＥＲＥフィールドを備える請求項１に記載の方法。
【請求項１０】
システム情報タイプ９メッセージを生成することと、
前記システム情報タイプ９メッセージをブロードキャストすることであって、前記第２のメッセージの前記表示は、前記システム情報タイプ９メッセージがブロードキャストされていることを示すことと、をさらに備える請求項９に記載の方法。
【請求項１１】
前記システム情報タイプ９は、前記第１のメッセージがブロードキャストされるべきであることを示すシステム情報タイプ９レストオクテット内の表示を備える請求項１０に記載の方法。
【請求項１２】
前記方法は、基地局によって実施される請求項１に記載の方法。
【請求項１３】
前記禁止表示は、拡張アクセス禁止情報を備える請求項１に記載の方法。
【請求項１４】
第１のメッセージのブロードキャストをシグナリングするための装置であって、
プロセッサと、
前記プロセッサと電子的通信状態にあるメモリと、
前記メモリに格納された命令と、を備え、前記命令は、
第１のメッセージがセル内でブロードキャストされるべきであると決定し、
システム情報タイプ３メッセージである第２のメッセージを生成し、及び
前記第２のメッセージを汎用パケット無線サービス（ＧＰＲＳ）および非ＧＰＲＳ無線通信デバイスにブロードキャストするために前記プロセッサによって実行可能であり、前記第１のメッセージは、禁止表示を含み、前記第２のメッセージは、前記第１のメッセージがブロードキャストされるべきであることの表示を備える、装置。
【請求項１５】
前記表示は、前記システム情報タイプ３メッセージ内のシステム情報タイプ３レストオクテット内に存在する請求項１４に記載の装置。
【請求項１６】
前記第１のメッセージは、システム情報タイプ２１メッセージである請求項１５に記載の装置。
【請求項１７】
前記システム情報タイプ３メッセージは、ＷＨＥＲＥフィールドを備えない請求項１６に記載の装置。
【請求項１８】
前記システム情報タイプ３メッセージは、システム情報タイプ２１インジケータをさらに備える請求項１６に記載の装置。
【請求項１９】
前記システム情報タイプ３メッセージは、システム情報タイプ２１位置インジケータをさらに備える請求項１６に記載の装置。
【請求項２０】
前記システム情報タイプ２１位置インジケータは、ＢＣＣＨ  Ｎｏｒｍに設定される請求項１９に記載の装置。
【請求項２１】
前記システム情報タイプ２１位置インジケータは、ＢＣＣＨ  Ｅｘｔｅｎｄｅｄに設定される請求項１９に記載の装置。
【請求項２２】
前記命令は、
第３のメッセージを生成し、及び
前記第３のメッセージをブロードキャストするためにさらに実行可能であり、前記第３のメッセージは、前記第２のメッセージがブロードキャストされていることを示す請求項１４に記載の装置。
【請求項２３】
前記第２のメッセージは、システム情報タイプ９メッセージであり、前記第３のメッセージは、システム情報タイプ３メッセージであり、前記システム情報タイプ３メッセージは、ＷＨＥＲＥフィールドを備える請求項２２に記載の装置。
【請求項２４】
前記表示は、前記システム情報タイプ９メッセージ内のシステム情報タイプ９レストオクテット内に存在する請求項２３に記載の装置。
【請求項２５】
前記装置は、基地局である請求項１４に記載の装置。
【請求項２６】
前記禁止表示は、拡張アクセス禁止情報を備える請求項１４に記載の装置。
【請求項２７】
第１のメッセージのブロードキャストを検出するための方法であって、
システム情報タイプ３メッセージである第２のメッセージを汎用パケット無線サービス（ＧＰＲＳ）および非ＧＰＲＳ無線通信デバイスのうちの１つ以上で受信することと、
前記第２のメッセージを復号することと、
前記第２のメッセージを使用して第１のメッセージがブロードキャストされているかどうかを決定することであって、前記第１のメッセージは、禁止表示を含むことと、を備える、方法。
【請求項２８】
前記第１のメッセージは、システム情報タイプ２１メッセージである請求項２７に記載の方法。
【請求項２９】
前記第２のメッセージを使用してシステム情報タイプ２１メッセージがブロードキャストされているかどうかを決定することは、
前記第２のメッセージがＷＨＥＲＥフィールドを備えると決定することと、
前記システム情報タイプ３メッセージ内のシステム情報タイプ３レストオクテットからの全フィールドを復号することと、
前記システム情報タイプ３レストオクテットがシステム情報タイプ２１メッセージインジケータを備えるかどうかを決定することと、を備える請求項２８に記載の方法。
【請求項３０】
前記システム情報タイプ３レストオクテットは、システム情報タイプ２１メッセージインジケータを備えず、前記第２のメッセージを使用してシステム情報タイプ２１メッセージがブロードキャストされているかどうかを決定することは、セル内でシステム情報タイプ２１メッセージがブロードキャストされないと決定することをさらに備える請求項２９に記載の方法。
【請求項３１】
前記システム情報タイプ３レストオクテットは、システム情報タイプ２１メッセージインジケータを備え、前記第２のメッセージを使用してシステム情報タイプ２１メッセージがブロードキャストされているかどうかを決定することは、セル内でシステム情報タイプ２１メッセージがブロードキャストされると決定することをさらに備える請求項２９に記載の方法。
【請求項３２】
前記システム情報タイプ３メッセージは、システム情報タイプ２１インジケータをさらに備える請求項３１に記載の方法。
【請求項３３】
前記システム情報タイプ３メッセージは、システム情報タイプ２１位置インジケータをさらに備える請求項３１に記載の方法。
【請求項３４】
前記システム情報タイプ２１位置インジケータは、ＢＣＣＨ  Ｎｏｒｍに設定される請求項３３に記載の方法。
【請求項３５】
前記システム情報タイプ２１位置インジケータは、ＢＣＣＨ  Ｅｘｔｅｎｄｅｄに設定される請求項３３に記載の方法。
【請求項３６】
第３のメッセージを受信することをさらに備え、前記第３のメッセージは、前記第２のメッセージがブロードキャストされていることを示す請求項２８に記載の方法。
【請求項３７】
前記第３のメッセージは、ＷＨＥＲＥフィールドを備えないと決定することをさらに備え、前記第２のメッセージは、システム情報タイプ９メッセージであり、前記第３のメッセージは、システム情報タイプ３メッセージである請求項３６に記載の方法。
【請求項３８】
前記システム情報タイプ９メッセージは、システム情報タイプ２１メッセージインジケータを備えず、前記第２のメッセージを使用してシステム情報タイプ２１メッセージがブロードキャストされているかどうかを決定することは、セル内でシステム情報タイプ２１メッセージがブロードキャストされないと決定することをさらに備える請求項３７に記載の方法。
【請求項３９】
前記システム情報タイプメッセージは、システム情報タイプ２１メッセージインジケータを備え、前記第２のメッセージを使用してシステム情報タイプ２１メッセージがブロードキャストされているかどうかを決定することは、セル内でシステム情報タイプ２１メッセージがブロードキャストされると決定することをさらに備える請求項３７に記載の方法。
【請求項４０】
前記禁止表示は、拡張アクセス禁止情報を備える請求項２７に記載の方法。
【請求項４１】
第１のメッセージのブロードキャストを検出するための無線通信デバイスであって、
プロセッサと、
前記プロセッサと電子的通信状態にあるメモリと、
前記メモリに格納された命令と、を備え、前記命令は、
システム情報タイプ３メッセージである第２のメッセージを汎用パケット無線サービス（ＧＰＲＳ）および非ＧＰＲＳ無線通信デバイスのうちの１つ以上で受信し、
前記第２のメッセージを復号し、及び
前記第２のメッセージを使用して第１のメッセージがブロードキャストされているかどうかを決定するために前記プロセッサによって実行可能であり、前記第１のメッセージは、禁止表示を含む、無線通信デバイス。
【請求項４２】
前記第１のメッセージは、システム情報タイプ２１メッセージである請求項４１に記載の無線通信デバイス。
【請求項４３】
前記第２のメッセージを使用してシステム情報タイプ２１メッセージがブロードキャストされているかどうかを決定するために実行可能な前記命令は、
前記第２のメッセージはＷＨＥＲＥフィールドを備えると決定し、
前記システム情報タイプ３メッセージ内のシステム情報タイプ３レストオクテットからの全フィールドを復号し、及び
前記システム情報タイプ３レストオクテットがシステム情報タイプ２１メッセージインジケータを備えるかどうかを決定するために実行可能な命令を備える請求項４２に記載の無線通信デバイス。
【請求項４４】
前記システム情報タイプ３レストオクテットは、システム情報タイプ２１メッセージインジケータを備えず、前記第２のメッセージを使用してシステム情報タイプ２１メッセージがブロードキャストされているかどうかを決定するために実行可能な前記命令は、セル内でシステム情報タイプ２１メッセージがブロードキャストされないと決定するために実行可能な命令をさらに備える請求項４３に記載の無線通信デバイス。
【請求項４５】
前記システム情報タイプ３レストオクテットは、システム情報タイプ２１メッセージインジケータを備え、前記第２のメッセージを使用してシステム情報タイプ２１メッセージがブロードキャストされているかどうかを決定するために実行可能な前記命令は、セル内でシステム情報タイプ２１メッセージがブロードキャストされると決定するために実行可能な命令をさらに備える請求項４３に記載の無線通信デバイス。
【請求項４６】
前記システム情報タイプ３メッセージは、システム情報タイプ２１インジケータをさらに備える請求項４５に記載の無線通信デバイス。
【請求項４７】
前記システム情報タイプ３メッセージは、システム情報タイプ２１位置インジケータをさらに備える請求項４５に記載の無線通信デバイス。
【請求項４８】
前記システム情報タイプ２１位置インジケータは、ＢＣＣＨ  Ｎｏｒｍに設定される請求項４７に記載の無線通信デバイス。
【請求項４９】
前記システム情報タイプ２１位置インジケータは、ＢＣＣＨ  Ｅｘｔｅｎｄｅｄに設定される請求項４７に記載の無線通信デバイス。
【請求項５０】
前記命令は、第３のメッセージを受信するためにさらに実行可能であり、前記第３のメッセージは、前記第２のメッセージがブロードキャストされていることを示す請求項４２に記載の無線通信デバイス。
【請求項５１】
前記命令は、前記第３のメッセージがＷＨＥＲＥフィールドを備えないと決定するためにさらに実行可能であり、前記第２のメッセージは、システム情報タイプ９メッセージであり、前記第３のメッセージは、システム情報タイプ３メッセージである請求項５０に記載の無線通信デバイス。
【請求項５２】
前記システム情報タイプ９メッセージは、システム情報タイプ２１メッセージインジケータを備えず、前記第２のメッセージを使用してシステム情報タイプ２１メッセージがブロードキャストされているかどうかを決定するために実行可能な前記命令は、セル内でシステム情報タイプ２１メッセージがブロードキャストされないと決定するために実行可能な命令をさらに備える請求項５１に記載の無線通信デバイス。
【請求項５３】
前記システム情報タイプメッセージは、システム情報タイプ２１メッセージインジケータを備え、前記第２のメッセージを使用してシステム情報タイプ２１メッセージがブロードキャストされているかどうかを決定するために実行可能な前記命令は、セル内でシステム情報タイプ２１メッセージがブロードキャストされると決定するために実行可能な命令をさらに備える請求項５１に記載の無線通信デバイス。
【請求項５４】
前記禁止表示は、拡張アクセス禁止情報を備える請求項４１に記載の無線通信デバイス。
【請求項５５】
システム情報タイプ２１メッセージのブロードキャストをシグナリングするためのコンピュータプログラムであって、命令を有するコンピュータによって読み取り可能であり、前記命令は、
第１のメッセージがセル内でブロードキャストされるべきであると決定することを基地局に行わせるためのコードであって、前記第１のメッセージは、禁止表示を含むコードと、
システム情報タイプ３である第２のメッセージを生成することを前記基地局に行わせるためのコードであって、前記第２のメッセージは、前記第１のメッセージがブロードキャストされるべきであることの表示を備えるコードと、
前記第２のメッセージを汎用パケット無線サービス（ＧＰＲＳ）および非ＧＰＲＳ無線通信デバイスにブロードキャストすることを前記基地局に行わせるためのコードと、を備える、コンピュータプログラム。
【請求項５６】
前記第１のメッセージは、システム情報タイプ２１メッセージである請求項５５に記載のコンピュータプログラム。
【請求項５７】
第１のメッセージのブロードキャストを検出するためのコンピュータプログラム製品であって、命令を有するコンピュータによって読み取り可能であり、前記命令は、
システム情報タイプ３メッセージである第２のメッセージを受信することを汎用パケット無線サービス（ＧＰＲＳ）および非ＧＰＲＳ無線通信デバイスのうちの１つ以上に行わせるためのコードと、
前記第２のメッセージを復号することを前記ＧＰＲＳおよび非ＧＰＲＳ無線通信デバイスのうちの１つ以上に行わせるためのコードと、
前記第２のメッセージを使用して第１のメッセージがブロードキャストされているかどうかを決定することを前記ＧＰＲＳおよび非ＧＰＲＳ無線通信デバイスのうちの１つ以上に行わせるためのコードであって、前記第１のメッセージは、禁止表示を含むコードと、を備える、コンピュータプログラム。
【請求項５８】
前記第１のメッセージは、システム情報タイプ２１メッセージである請求項５７に記載のコンピュータプログラム。
【請求項５９】
メッセージのブロードキャストをシグナリングするための装置であって、
セル内で第１のメッセージがブロードキャストされるべきであると決定するための手段であって、前記第１のメッセージは、禁止表示を含む手段と、
システム情報タイプ３メッセージである第２のメッセージを生成するための手段であって、前記第２のメッセージは、前記第１のメッセージがブロードキャストされるべきであるとの表示を備える手段と、
前記第２のメッセージを汎用パケット無線サービス（ＧＰＲＳ）および非ＧＰＲＳ無線通信デバイスにブロードキャストするための手段と、を備える、装置。
【請求項６０】
前記新メッセージは、システム情報タイプ２１メッセージである請求項５９に記載の装置。
【請求項６１】
第１のメッセージのブロードキャストを検出するための装置であって、
システム情報タイプ３メッセージである第２のメッセージを汎用パケット無線サービス（ＧＰＲＳ）および非ＧＰＲＳ無線通信デバイスのうちの１つ以上で受信するための手段と、
前記第２のメッセージを復号するための手段と、
前記第２のメッセージを使用して第１のメッセージがブロードキャストされているかどうかを決定するための手段であって、前記第１のメッセージは、禁止表示を含む手段と、を備える、装置。
【請求項６２】
前記新メッセージは、システム情報タイプ２１メッセージである請求項６０に記載の装置。
【発明の詳細な説明】
【技術分野】
【０００１】
関連出願及び優先権の主張
本特許出願は、“METHODS & SYSTEMS FOR SIGNALING WHETHER A NETWORK HAS BROADCAST A SYSTEM INFORMATION TYPE 21 MESSAGE”（ネットワークがシステム情報タイプ２１メッセージをブロードキャストしているかどうかをシグナリングするための方法及びシステム）に関する米国仮特許出願一連番号第６１／４７３，６３８号（出願日：２０１１年４月８日）に関するものであり、及びMETHODS & SYSTEMS FOR SIGNALING WHETHER A NETWORK HAS BROADCAST A SYSTEM INFORMATION TYPE 21 MESSAGE”（ネットワークがシステム情報タイプ２１メッセージをブロードキャストしているかどうかをシグナリングするための方法及びシステム）に関する米国仮特許出願一連番号第６１／４７３，６３８号（出願日：２０１１年４月８日）に対する優先権を主張するものであり、全目的のために及びあたかも以下において完全に説明されているものとして引用によってここに組み入れられている。
【０００２】
本開示は、概して、通信システムに関するものである。本開示は、より具体的には、ネットワークがシステム情報をブロードキャストしているかどうかをシグナリングするためのシステム及び方法に関するものである。
【背景技術】
【０００３】
世界中の多くの人々が通信をするようになってきており、無線通信システムはその重要な手段になっている。無線通信システムは、数多くの加入者局のために通信を提供することができ、それらの各々に対しては、基地局によってサービスを提供することができる。
【０００４】
加入者局は、アップリンク及びダウンリンクにおける送信を介して１つ以上の基地局と通信することができる。アップリンク（又は逆方向リンク）は、加入者局から基地局への通信リンクを意味し、ダウンリンク（又は順方向リンク）は、基地局から加入者局への通信リンクを意味する。
【０００５】
無線通信システムのリソース（例えば、帯域幅及び送信電力）は、複数の加入者局間で共有することができる。様々な多元接続技法が知られており、符号分割多元接続（ＣＤＭＡ）と、時分割多元接続（ＴＤＭＡ）と、周波数分割多元接続（ＦＤＭＡ）と、直交周波数分割多元接続（ＯＦＤＭＡ）と、単一搬送波周波数分割多元接続（ＳＣ−ＦＤＭＡ）と、等を含む。
【０００６】
無線通信システムの動作に関連する改良された方法及び装置によって利益を実現することが可能である。
【図面の簡単な説明】
【０００７】
【図１】ここにおいて開示される本発明の実施形態を利用することができる無線通信システムの例を示した図である。
【図２】本発明の幾つかの実施形態による無線通信システムにおける送信機及び受信機のブロック図である。
【図３】本発明の幾つかの実施形態による受信機における受信機ユニット及び復調器の設計のブロック図である。
【図４】本発明の幾つかの実施形態によるＧＳＭ（登録商標）におけるフレーム及びバーストフォーマットの例を示した図である。
【図５】本発明の幾つかの実施形態によるＧＳＭシステムにおけるスペクトル例を示した図である。
【図６】本発明の幾つかの実施形態によるによる無線通信デバイスの例を示した図であり、無線通信デバイスは、送信回路（電力増幅器（ＰＡ）を含む）と、受信回路と、電力コントローラと、復号プロセッサと、信号を処理する際の使用のための処理ユニットと、メモリと、を含む。
【図７】本発明の幾つかの実施形態による送信機構造及び／又はプロセスの例を示した図であり、それは、無線デバイスに実装することができる。
【図８】本発明の幾つかの実施形態による基地局から無線通信デバイスへのシステム情報タイプ３メッセージの送信を例示したブロック図である。
【図９】本発明の幾つかの実施形態による基地局から無線通信デバイスへのシステム情報タイプ３メッセージ及びシステム情報タイプ９メッセージの両方の送信を例示したブロック図である。
【図１０】本発明の幾つかの実施形態によるシステム情報タイプ２１メッセージがブロードキャストされるかどうかを無線通信デバイスに知らせるための方法の流れ図である。
【図１１】本発明の幾つかの実施形態によるセル内でシステム情報タイプ２１メッセージがブロードキャストされるかどうかを無線通信デバイスに知らせるための方法の他の流れ図である。
【図１２】本発明の幾つかの実施形態によるセル内でシステム情報タイプ２１メッセージがブロードキャストされているかどうかを決定するための方法の流れ図である。
【図１３】本発明の幾つかの実施形態によるセル内でシステム情報タイプ２１メッセージがブロードキャストされているかどうかを決定するための他の方法の流れ図である。
【図１４】本発明の幾つかの実施形態による基地局内に含めることができる幾つかのコンポーネントを例示した図である。
【図１５】本発明の幾つかの実施形態による無線通信デバイス内に含めることができる幾つかのコンポーネントを例示した図である。
【発明の概要】
【０００８】
メッセージのブロードキャストをシグナリングするための方法が開示される。セル内でブロードキャストされるべき第１のメッセージが決定される。第１のメッセージは、禁止表示（ｂａｒｒｉｎｇ  ｉｎｄｉｃａｔｉｏｎ）を含む。第２のメッセージが生成される。第２のメッセージは、システム情報タイプ３メッセージであり、第１のメッセージがブロードキャストされるべきであることの表示（ｉｎｄｉｃａｔｉｏｎ）を含む。第２のメッセージがブロードキャストされる。
【０００９】
表示は、システム情報タイプ３メッセージ内のシステム情報タイプ３レストオクテット（Ｒｅｓｔ  Ｏｃｔｅｔ）内に存在することができる。第１のメッセージは、システム情報タイプ２１メッセージであることができる。システム情報タイプ３メッセージは、ＷＨＥＲＥフィールドを含まないことができる。システム情報タイプ３メッセージは、システム情報タイプ２１インジケータを含むことができる。システム情報タイプ３メッセージは、システム情報タイプ２１位置インジケータを含むことができる。システム情報タイプ２１位置インジケータは、ＢＣＣＨ  Ｎｏｒｍに設定することができる。システム情報タイプ２１位置インジケータは、ＢＣＣＨ  Ｅｘｔｅｎｄｅｄに設定することができる。
【００１０】
システム情報タイプ３メッセージは、ＷＨＥＲＥフィールドを含むことができる。システム情報タイプ９メッセージも生成することができる。システム情報タイプ９メッセージもブロードキャストすることができる。第２のメッセージの表示は、システム情報タイプ９メッセージがブロードキャストされていることを示すことができる。システム情報タイプ９は、第１のメッセージがブロードキャストされるべきであることを示すシステム情報タイプ９レストオクテット内の表示を含むことができる。
【００１１】
方法は、基地局によって実施することができる。禁止表示は、拡張アクセス禁止（Ｅｘｔｅｎｄｅｄ  Ａｃｃｅｓｓ  Ｂａｒｒｉｎｇ）情報を含むことができる。
【００１２】
第１のメッセージのブロードキャストをシグナリングするための装置も説明される。装置は、プロセッサと、そのプロセッサと電子的通信状態にあるメモリに格納された実行可能な命令と、を含む。装置は、アドレッシングされたアクセス制限データを含むメッセージ生成し、及び、第１のメッセージがセル内でブロードキャストされるべきであると決定する。第１のメッセージは、禁止表示を含む。装置は、システム情報タイプ３メッセージである第２のメッセージも生成する。第２のメッセージは、第１のメッセージがブロードキャストされるべきであることの表示を含む。装置は、第２のメッセージをさらにブロードキャストする。
【００１３】
装置は、第３のメッセージを生成することを含むことができる。第３のメッセージは、第２のメッセージがブロードキャストされていることを示すことができる。装置は、第３のメッセージをブロードキャストすることができる。第２のメッセージは、システム情報タイプ９メッセージであることができる。第３のメッセージは、システム情報タイプ３メッセージであることができる。システム情報タイプ３メッセージは、ＷＨＥＲＥフィールドを含むことができる。
【００１４】
表示は、システム情報タイプ９メッセージ内のシステム情報タイプ３レストオクテット内に存在することができる。
【００１５】
第１のメッセージのブロードキャストを検出するための方法も説明される。第２のメッセージが受信される。第２のメッセージが復号される。第２のメッセージは、第１のメッセージがブロードキャストされているかどうかを決定するために使用される。第１のメッセージは、禁止表示を含む。
【００１６】
第１のメッセージは、システム情報タイプ２１メッセージであることができる。第２のメッセージは、システム情報タイプ３メッセージであることができる。第２のメッセージを使用してシステム情報タイプ２１メッセージがブロードキャストされているかどうかを決定することは、第２のメッセージがＷＨＥＲＥフィールドを含むと決定することと、システム情報タイプ３メッセージ内のシステム情報タイプ３レストオクテットからの全フィールドを復号することと、システム情報タイプ３レストオクテットがシステム情報タイプ２１メッセージインジケータを含むかどうかを決定することと、を含むことができる。
【００１７】
システム情報タイプ３レストオクテットは、システム情報タイプ２１メッセージインジケータを含むことができない。第２のメッセージを使用してシステム情報タイプ２１メッセージがブロードキャストされているかどうかを決定することは、セル内でシステム情報タイプ２１メッセージをブロードキャストすることができないと決定することを含むことができる。
【００１８】
情報タイプ３レストオクテットは、システム情報タイプ２１メッセージインジケータを含むことができる。第２のメッセージを使用してシステム情報タイプ２１メッセージがブロードキャストされているかどうかを決定することは、セル内でシステム情報タイプ２１メッセージをブロードキャストすることができると決定することを含むことができる。システム情報タイプ３メッセージは、システム情報タイプ２１インジケータを含むことができる。システム情報タイプ３メッセージは、システム情報タイプ２１位置インジケータを含むことができる。システム情報タイプ２１位置インジケータは、ＢＣＣＨ  Ｎｏｒｍに設定することができる。システム情報タイプ２１位置インジケータは、ＢＣＣＨ  Ｅｘｔｅｎｄｅｄに設定することができる。
【００１９】
第３のメッセージを受信することができる。第３のメッセージは、第２のメッセージがブロードキャストされていることを示すことができる。第３のメッセージは、ＷＨＥＲＥフィールドを含まないと決定することができる。第２のメッセージは、システム情報タイプ９メッセージであることができる。第３のメッセージは、システム情報タイプ３メッセージであることができる。
【００２０】
システム情報タイプ９メッセージは、システム情報タイプ２１メッセージインジケータを含むことができない。第２のメッセージを使用してシステム情報タイプ２１メッセージがブロードキャストされているかどうかを決定することは、セル内でシステム情報タイプ２１メッセージをブロードキャストすることができないと決定することを含むことができる。
【００２１】
システム情報タイプメッセージは、システム情報タイプ２１メッセージインジケータを含むことができる。第２のメッセージを使用してシステム情報タイプ２１メッセージがブロードキャストされているかどうかを決定することは、セル内でシステム情報タイプ２１メッセージをブロードキャストすることができると決定することを含むことができる。方法は、無線通信デバイスによって実施することができる。禁止表示は、拡張アクセス禁止情報を含むことができる。
【００２２】
第１のメッセージのブロードキャストを検出するための装置も説明される。装置は、プロセッサと、そのプロセッサと電子的通信状態にあるメモリに格納された実行可能な命令と、を含む。装置は、第２のメッセージを受信する。装置は、第２のメッセージも復号する。装置は、第２のメッセージをさらに使用して第１のメッセージがブロードキャストされているかどうかを決定する。第１のメッセージは、禁止表示を含む。
【００２３】
システム情報タイプ２１メッセージのブロードキャストをシグナリングするためのコンピュータプログラム製品も説明される。コンピュータプログラム製品は、命令を有するコンピュータによって読み取り可能な媒体を含む。コンピュータプログラム製品は、第１のメッセージがセル内でブロードキャストされるべきであると決定するための命令を含む。第１のメッセージは、禁止表示を含む。コンピュータプログラム製品は、第１のメッセージがブロードキャストされるべきであるとの表示を含む第２のメッセージを生成するための命令も含む。コンピュータプログラム製品は、第２のメッセージをブロードキャストするための命令をさらに含む。
【００２４】
第１のメッセージのブロードキャストを検出するためのコンピュータプログラム製品も説明される。コンピュータプログラム製品は、命令を有するコンピュータによって読み取り可能な媒体を含む。コンピュータプログラム製品は、第２のメッセージを受信するための命令を含む。コンピュータプログラム製品は、第２のメッセージを復号するための命令も含む。コンピュータプログラム製品は、第２のメッセージを使用して第１のメッセージがブロードキャストされているかどうかを決定するための命令をさらに含む。第１のメッセージは、禁止表示を含む。
【００２５】
第１のメッセージのブロードキャストをシグナリングするための装置も説明される。装置は、セル内で第１のメッセージがブロードキャストされるべきであると決定するための手段を含む。第１のメッセージは、禁止表示を含む。装置は、第１のメッセージがブロードキャストされるべきであることを示す表示を含む第２のメッセージを生成するための手段も含む。装置は、第２のメッセージをブロードキャストするための手段をさらに含む。
【００２６】
第１のメッセージのブロードキャストを検出するための装置も説明される。装置は、第２のメッセージを受信するための手段を含む。装置は、第２のメッセージを復号するための手段も含む。装置は、第２のメッセージを使用して第１のメッセージがブロードキャストされているかどうかを決定するための手段をさらに含む。第１のメッセージは、禁止表示を含む。
【００２７】
本発明の具体的で典型的な実施形態に関する以下の説明を添付された図と関係させて検討し次第、本発明のその他の態様、特徴及び実施形態が当業者に明らかになるであろう。本発明の特徴は、以下の幾つかの実施形態及び図と関連させて説明されるが、本発明の全実施形態は、ここにおいて説明される有利な特徴のうちの１つ以上を含むことができる。換言すると、１つ以上の実施形態が幾つかの有利な特徴を有するとして説明される一方で、該特徴のうちの１つ以上は、ここにおいて説明される発明の様々な実施形態により使用することもできる。同様に、以下では典型的な実施形態がデバイス、システム、又は方法に関する実施形態として説明される一方で、該典型的な実施形態は、様々なデバイス、システム、及び方法において実装可能であることが理解されるべきである。
【発明を実施するための形態】
【００２８】
ますます多くの人たちが、無線通信デバイス、例えば、携帯電話、を音声のためだけでなくデータ通信のためにも使用するようになっている。ＧＳＭ／ＥＤＧＥ無線アクセスネットワーク（ＧＥＲＡＮ）仕様では、汎用パケット無線サービス（ＧＰＲＳ）及び拡張ＧＰＲＳ  ＥＧＰＲＳがデータサービスを提供する。ＧＥＲＡＮに関する規格は、３ＧＰＰ（第３世代パートナーシッププロジェクト）によって維持される。ＧＥＲＡＮは、ＧＳＭの一部である。より具体的には、ＧＥＲＡＮは、基地局（Ａｌｔｅｒ及びＡｂｉｓインタフェース）及び基地局コントローラ（Ａインタフェース、等）を結合するネットワークとともにＧＳＭ／ＥＤＧＥの無線部である。ＧＥＲＡＮは、ＧＳＭネットワークの中核である。それは、電話呼及びパケットデータをＰＳＴＮ及びインターネットから遠隔端末に及び遠隔端末からＰＳＴＮ及びインターネットにルーティングする。ＧＥＲＡＮは、結合されたＵＭＴＳ／ＧＳＭネットワークの一部でもある。
【００２９】
アイドルモードでは、第２世代（２Ｇ）無線電話技術（例えば、ＧＳＭ）を用いた無線通信デバイスが、近隣セルの電力レベル（すなわち、送信中の近隣基地局の信号強度）を定常的にモニタリングすることができる。これは、典型的には、無線通信デバイスがページングチャネルを復号するために“ウェークアップ”（ｗａｋｅ  ｕｐ）しているときに行われる。電力モニタリングは、無線周波数（ＲＦ）コンポーネント及びベースバンド処理コンポーネントに関する余分の動作時間を含むため、バッテリから余分の電力を取り出すことになる。
【００３０】
ページングチャネル（ＰＣＨ）ブロック当たりのモニタリング量が多いときには“ウェークアップしている”時間を引き延ばすことにつながることがある。アイドルモードでの電流消費は、無線通信デバイスの待機時間に直接影響を及ぼし、設計および製造における１つの重要な尺度である。
【００３１】
図１は、ここにおいて開示される本発明の実施形態を利用することができる無線通信システム１００の例を示す。無線通信システム１００は、複数の基地局（ＢＳ）１０２と、複数の無線通信デバイス１０４と、を含む。各基地局１０２は、特定の地理上のエリア１０６に関する通信カバレッジを提供する。用語“セル”は、その用語が使用される文脈に依存して基地局１０２及び／又はそれのカバレッジエリア１０６を意味することができる。
【００３２】
本出願で利用される用語“無線通信デバイス”及び“基地局”は、概して、コンポーネントの配列を意味することができる。例えば、ここにおいて使用される場合において、用語“無線通信デバイス”は、無線通信システムを通じての音声及び／又はデータ通信のために使用することができる電子デバイスを意味する。無線通信デバイス１０４の例は、携帯電話と、パーソナルデジタルアシスタント（ＰＤＡ）と、ハンドヘルドデバイスと、無線モデムと、ラップトップコンピュータと、パソコンとを含む。無線通信デバイス１０４は、代替で、アクセス端末、モバイル端末、移動局、遠隔局、ユーザ端末、端末、加入者ユニット、加入者局、モバイルデバイス、無線デバイス、ユーザ装置（ＵＥ）又は何らかのその他の用語で呼ばれることもある。さらに、用語“基地局”は、固定された位置に設置されて無線通信デバイス１０４と通信するために使用される無線通信局を意味することができる。基地局１０２は、代替として、アクセスポイント（ナノセルと、ピコセルと、フェムトセルと、を含む）、ノードＢ、エボルブド（ｅｖｏｌｖｅｄ）ノードＢ、ホームノードＢ又は何らかのその他の用語で呼ばれることもある。
【００３３】
システム容量を向上させるために、基地局カバレッジエリア１０６は、複数のより小さいエリア、例えば、３つのより小さいエリア１０８ａ、１０８ｂ、及び１０８ｃ、に分割することができる。各々のより小さいエリア１０８ａ、１０８ｂ、及び１０８ｃは、各々のベーストランシーバ局（ＢＴＳ）によってサービスを提供することができる。用語“セクタ”は、その用語が使用される文脈に依存してＢＴＳ及び／又はそのカバレッジエリア１０８を意味することができる。セクタ化されたセルに関しては、そのセルの全セクタに関するＢＴＳは、典型的には、セルに関する基地局１０２内に共配置される。
【００３４】
無線通信デバイス（例えば、加入者局）１０４は、典型的には、無線通信システム１００全体を通じて分散される。無線通信デバイス１０４は、あらゆる所定の時点でダウンリンク及び／又はアップリンクで１つ以上の基地局１０２と通信することができる。ダウンリンク（順方向リンク）は、基地局１０２から無線通信デバイス１０４への通信リンクを意味し、アップリンク（逆方向リンク）は、無線通信デバイス１０４から基地局１０２への通信リンクを意味する。アップリンク及びダウンリンクは、通信リンク又は通信リンクのために使用される搬送波を意味することができる。
【００３５】
集中型アーキテクチャの場合は、システムコントローラ１１０は、基地局１０２に結合し、基地局１０２に関する調整及び制御を提供することができる。システムコントローラ１１０は、単一のネットワークエンティティ又はネットワークエンティティの集合であることができる。他の例として、分散型アーキテクチャの場合は、基地局１０２は、必要に応じて互いに通信することができる。
【００３６】
図２は、本発明の幾つかの実施形態による無線通信システム１００における送信機２１１及び受信機２１３のブロック図を示す。ダウンリンクに関しては、送信機２１１は、基地局１０２の一部であることができ、受信機２１３は、無線通信デバイス１０４の一部であることができる。アップリンクに関しては、送信機２１１は、無線通信デバイス１０４の一部であることができ、受信機２１３は、基地局１０２の一部であることができる。幾つかの実施形態では、受信機及び送信機は、トランシーバとして結合又は実装することができる。
【００３７】
送信機２１１において、送信（ＴＸ）データプロセッサ２３４は、データ２０１を受信及び処理（フォーマット化、符号化、及びインターリービング）し、コーディングされたデータを提供する。変調器２１２は、コーディングされたデータに対して変調を行い、変調された信号を提供する。変調器２１２は、ＧＳＭに関してはガウス最小偏移変調（ＧＭＳＫ）、グローバルエボリューションに関する拡張データレート（Ｅｎｈａｎｃｅｄ  Ｄａｔａ  ｒａｔｅｓ  ｆｏｒ  Ｇｌｏｂａｌ  Ｅｖｏｌｕｔｉｏｎ）（ＥＤＧＥ）に関しては８位相偏移変調（８−ＰＳＫ）、等を実施することができる。ガウス最小偏移変調（ＧＭＳＫ）は、連続的な位相変調プロトコルであり、８−ＰＳＫは、デジタル変調プロトコルである。送信機ユニット（ＴＭＴＲ）２１８は、変調された信号をコンディショニング（例えば、フィルタリング、増幅、及びアップコンバージョン）してＲＦ変調された信号を生成し、それは、アンテナ２２０を介して送信される。
【００３８】
受信機２１３において、アンテナ２２２は、ＲＦ変調された信号を送信機２１１及びその他の送信機から受信する。アンテナ２２２は、受信されたＲＦ信号を受信機ユニット（ＲＣＶＲ）２２４に提供する。受信機ユニット２２４は、受信されたＲＦ信号をコンディショニング（例えば、フィルタリング、増幅、及びダウンコンバージョン）し、コンディショニングされた信号をデジタル化し、サンプルを提供する。復調器２２６は、以下のようにサンプルを処理して復調されたデータを提供する。受信（ＲＸ）データプロセッサ２２８は、復調されたデータを処理（例えば、デインターリービング及び復号）し、復号されたデータ２３２を提供する。概して、復調器２２６及ＲＸデータプロセッサ２２８による処理は、送信機２１１における変調器２１２及びＴＸデータプロセッサ２３４による処理をそれぞれ補完するものである。
【００３９】
コントローラ／プロセッサ２１４及び２３０は、送信機２１１及び受信機２１３での動作をそれぞれ指示する。メモリ２１６及び２３６は、送信機２１１及び受信機２１３によってそれぞれ使用されるコンピュータソフトウェア及びデータの形態でプログラムコードを格納する。
【００４０】
図３は、本発明の幾つかの実施形態による受信機２１３における受信機ユニット３２４及び復調器３２６の設計のブロック図を示す。受信機ユニット３２４内では、受信チェーン３２５は、受信されたＲＦ信号を処理してＩ（同相）及びＱ（直交）ベースバンド信号を提供し、それらは、Ｉｂｂ及びＱｂｂとして表される。受信チェーン３２５は、希望されるのに応じて又は必要に応じて、低雑音増幅、アナログフィルタリング、直交ダウンコンバージョン、等を実施することができる。アナログ−デジタル変換器（ＡＤＣ）３２７は、サンプリングクロック３２３からのfａｄｃのサンプリングレートでＩ及びＱベースバンド信号をデジタル化してＩ及びＱサンプルを提供し、それらは、Ｉａｄｃ及びＱａｄｃとして表される。概して、ＡＤＣサンプリングレートfａｄｃは、いずれかの整数又は非整数係数によってシンボルレートfｓｙｍに関連付けることができる。
【００４１】
復調器３２６内では、プリプロセッサ３２９は、アナログ−デジタル変換器（ＡＤＣ）３２７からのＩ及びＱサンプルに対して前処理を実施する。例えば、プリプロセッサ３２９は、直流電流（ＤＣ）オフセットを除去し、周波数オフセットを除去し、等であることができる。入力フィルタ３３１は、特定の周波数応答に基づいてプリプロセッサ３２９からのサンプルをフィルタリングして入力Ｉ及びＱサンプルを提供し、それらはＩｉｎ及びＱｉｎとして表される。入力フィルタ３３１は、アナログ−デジタル変換器（ＡＤＣ）３２７及びジャマ（ｊａｍｍｅｒ）によるサンプリングの結果生じる画像を抑止するためにＩ及びＱサンプルをフィルタリングすることができる。入力フィルタ３３１は、例えば、２４Ｘオーバーサンプリングから２Ｘオーバーサンプリングへのサンプルレート変換も実施することができる。データフィルタ３３３は、他の周波数応答に基づいて入力フィルタ３３１からの入力されたＩ及びＱサンプルをフィルタリングして出力されたＩ及びＱサンプルを提供し、それらは、Ｉｏｕｔ及びＱｏｕｔとして表される。入力フィルタ３３１及びデータフィルタ３３３は、有限インパルス応答（ＦＩＲ）フィルタ、無限インパルス応答（ＩＩＲ）フィルタ又はその他のタイプのフィルタとともに実装することができる。入力フィルタ３３１及びデータフィルタ３３３の周波数応答は、良好な性能を達成するように選択することができる。一設計では、入力フィルタ３３１の周波数応答は固定され、データフィルタ３３３の周波数応答は設定可能である。
【００４２】
隣接チャネル干渉（ＡＣＩ）検出器３３７は、入力されたＩ及びＱサンプルを入力フィルタ３３１から受信し、受信されたＲＦ信号内の隣接チャネル干渉（ＱＣＩ）の有無を検出し、隣接チャネル干渉（ＡＣＩ）インジケータ３３９をデータフィルタ３３３に提供する。隣接チャネル干渉（ＡＣＩ）インジケータ３３９は、隣接チャネル干渉（ＡＣＩ）が存在するかどうか、及び存在する場合は、＋２００キロヘルツ（ｋＨｚ）を中央とする高い方のＲＦチャネル及び／又は−２００ｋＨｚを中央とする低い方のＲＦチャネルのいずれに起因するかを示すことができる。データフィルタ３３３の周波数応答は、望ましい性能を達成するために、隣接チャネル干渉（ＡＣＩ）インジケータ３３９に基づいて調整することができる。
【００４３】
等化器／検出器３３５は、データフィルタ３３３から出力Ｉ及びＱサンプルを受信し、これらのサンプルに対して等化、マッチドフィルタリング（ｍａｔｃｈｅｄ  ｆｉｌｔｅｒｉｎｇ）、検出及び／又はその他の処理を行う。例えば、等化器／検出器３３５は、Ｉ及びＱサンプルのシーケンス及びチャネル推定値を考慮した場合に送信されている可能性が最も高いシンボルのシーケンスを決定する最尤系列推定器（ＭＬＳＥ）を実装することができる。
【００４４】
グローバル移動体通信システム（ＧＳＭ）は、セルラー、無線通信において幅広く使用される規格である。ＧＳＭは、標準的な音声サービスにとって相対的に効率的である。しかしながら、高忠実度の音声及びデータサービスは、ＧＳＭが最適化されるデータスループットレートよりも高いそれを要求する。容量を増大させるために、ＧＳＭシステムでは、汎用パケット無線サービス（ＧＰＲＳ）、ＥＤＧＥ（ＧＳＭエボリューションに関する拡張データレート）及びＵＭＴＳ（ユニバーサル移動体通信システム）規格が採用されている。
【００４５】
ＧＳＭ／ＥＤＧＥ無線アクセスネットワーク（ＧＥＲＡＮ）仕様では、ＧＰＲＳ及びＥＧＰＲＳは、データサービスを提供する。ＧＥＲＡＮに関する規格は、３ＧＰＰ（第３世代パートナーシッププロジェクト）によって維持される。ＧＥＲＡＮは、ＧＳＭの一部である。より具体的には、ＧＥＲＡＮは、基地局１０２（Ａｌｔｅｒ及びＡｂｉｓインタフェース）及び基地局コントローラ（Ａインタフェース、等）を結合するネットワークとともにＧＳＭ／ＥＤＧＥの無線部である。ＧＥＲＡＮは、ＧＳＭネットワークの中核である。それは、電話呼及びパケットデータをＰＳＴＮ（公衆交換電話網）及びインターネットから遠隔端末に及び遠隔端末からＰＳＴＮ及びインターネットにルーティングする。ＧＥＲＡＮは、結合されたＵＭＴＳ／ＧＳＭネットワークの一部でもある。
【００４６】
ＧＳＭは、スペクトルリソースを共有することを目的として時分割多元接続（ＴＤＭＡ）及び周波数分割多元接続（ＦＤＭＡ）の結合を採用する。ＧＳＭネットワークは、典型的には、幾つかの周波数帯域で動作する。例えば、アップリンク通信に関しては、ＧＳＭ−９００は、８９０乃至９１５メガヘルツ（ＭＨｚ）帯域の無線スペクトルを共通して使用する（移動局−ベーストランシーバ局）。ダウンリンク通信に関しては、ＧＳＭ９００は、９７４乃至９６０ＭＨｚ帯域を使用する（基地局１０２−無線通信デバイス１０４）。さらに、各周波数帯域は、２００ｋＨｚ搬送波周波数に分割され、２００ｋＨｚの間隔の１２４のＲＦチャネルを提供する。ＧＳＭ−１９００は、アップリンクに関しては１８５０乃至１９１０ＭＨｚ帯域、ダウンリンクに関しては１９３０乃至１９９０ＭＨｚ帯域を使用する。ＧＳＭ９００と同様に、ＦＤＭＡは、アップリンク及びダウンリンクの両方に関するスペクトルを２００ｋＨｚ幅の搬送波周波数に分割する。同様に、ＧＳＭ−８５０は、アップリンクに関しては８２４乃至８４９ＭＨｚ帯域を及びダウンリンクに関しては８６９乃至８９４ＭＨｚ帯域を使用し、他方、ＧＳＭ−１８００は、アップリンクに関しては１７１０乃至１７８５ＭＨｚ帯域を及びダウンリンクに関しては１８０５乃至１８８０ＭＨｚ帯域を使用する。
【００４７】
第３世代パートナーシッププロジェクト（３ＧＰＰ）規格確立組織によって発行された、“技術仕様書第３世代パートナーシッププロジェクト；技術仕様グループＧＳＭ／ＥＤＧＥ無線アクセスネットワーク；無線経路での多重化及び多元接続（リリース４）”という題名の技術仕様書３ＧＰＰ  ＴＳ  ４５．００２  Ｖ４．８．０（２００３−０６）では、既存のＧＳＭシステムの一例が示されている。
【００４８】
ＧＳＭにおける各チャネルは、特定の絶対無線周波数チャネル（ＡＲＦＣＮ）によって識別される。例えば、ＧＳＭ９００のチャネルにはＡＲＦＣＮ１−１２４が割り当てられ、ＧＳＭ１９００のチャネルにはＡＲＦＣＮ５１２−８１０が割り当てられる。同様に、ＧＳＭ８５０のチャネルにはＡＲＦＣＮ１２８−２５１が割り当てられ、ＧＳＭ１８００のチャネルにはＡＲＦＣＮ５１２−８８５が割り当てられる。さらに、各基地局１０２には、１つ以上の搬送波周波数が割り当てられる。各搬送波周波数は、ＴＤＭＡを用いて８つのタイムスロット（タイムスロット０乃至７のラベルが付される）に分割され、従って、８つの連続するタイムスロットが、４．６１５ミリ秒（ｍｓ）の継続時間を有する１つのＴＤＭＡフレームを形成する。物理チャネルは、ＴＤＭＡフレーム内において１つのタイムスロットを占める。各々のアクティブな無線通信デバイス１０４又はユーザには、呼の継続時間の間１つ以上のタイムスロットインデックスが割り当てられる。各無線通信デバイス１０４に関する個々のユーザごとのデータは、その無線通信デバイス１０４に割り当てられたタイムスロットで及びトラフィックチャネルのために使用されるＴＤＭＡフレームで送信される。
【００４９】
図４は、ＧＳＭにおけるフレーム及びバーストフォーマットの例を示す。送信のためのタイムラインは、本発明の幾つかの実施形態によりマルチフレーム４６３に分割される。個々のユーザごとのデータを送信するために使用されるトラフィックチャネルに関して、この例での各マルチフレーム４６３は、２６のＴＤＭＡフレーム４６４を含み、それらは、ＴＤＭＡ０乃至２５のラベルが付される。トラフィックチャネルは、各マルチフレーム４６３のＴＤＭＡフレーム０乃至１１及びＴＤＭＡフレーム１３乃至２４で送信される。ＴＤＭＡフレーム１２では制御チャネルが送信される。アイドルのＴＤＭＡフレーム２５ではデータは送信されず、それは、近隣基地局１０２によって送信された信号の測定を行うために無線通信デバイス１０４によって使用される。
【００５０】
フレーム内の各タイムスロットは、ＧＳＭでは“バースト”４６５とも呼ばれる。各バースト４６５は、２つのテールフィールドと、２つのデータフィールドと、トレーニングシーケンス（又はミッドアンブル）フィールドと、ガード期間（ＧＰ）と、を含む。各フィールド内のシンボル数は括弧内に示される。バースト４６５は、テール、データ及びミッドアンブルフィールドに関するシンボルを含む。ガード期間ではシンボルは送信されない。特定の搬送波周波数のＴＤＭＡフレームには番号が付され、マルチフレーム４６３と呼ばれる２６又は５１のＴＤＭＡフレーム４６４から成るグループで形成される。
【００５１】
図５は、本発明の幾つかの実施形態によるＧＳＭシステムにおけるスペクトル例５００を示す。この例では、２００ｋＨｚだけ離れて配置される５つのＲＦチャネルで５つのＲＦ変調された信号が送信される。対象となるＲＦチャネルは、０Ｈｚの中心周波数を有する状態が示される。２つの隣接するＲＦチャネルは、希望されるＲＦチャネルの中心周波数から＋２００ｋＨｚ及び−２００ｋＨｚである中心周波数を有する。次の２つの最も近いＲＦチャネル（ブロッカ又は非隣接ＲＦチャネルと呼ばれる）は、希望されるＲＦチャネルの中心周波数から＋４００ｋＨｚ及び−４００ｋＨｚである中心周波数を有する。スペクトル５００内にはその他のＲＦチャネルが存在することができ、それらは、簡略化を目的として示されていない。ＧＳＭでは、ＲＦ変調された信号は、fｓｙｍ＝１３０００／４０＝２７０．８キロシンボル／秒（ｋｓｐｓ）のシンボルレートで生成され、最大で１３５ｋＨｚの−３デシベル（ｄＢ）帯域幅を有する。従って、隣接するＲＦチャネル上のＲＦ変調された信号は、図５に示されるように、縁部が互いに重なり合うことができる。
【００５２】
ＧＳＭ／ＥＤＧＥでは、無線通信デバイス１０４が周波数オフセット推定及び訂正を用いてそれらの局所発振器（ＬＯ）を基地局１０２局所発振器（ＬＯ）に同期させるのを可能にするために基地局１０２によって周波数バースト（ＦＢ）が定常的に送信される。これらのバーストは、単一のトーンを含み、それは、すべて“０”のペイロード及びトレーニングシーケンスに対応する。周波数バーストのすべてゼロのペイロードは、一定の周波数信号、又は単一のトーンのバーストである。電力モードにあるときには、無線通信デバイス１０４は、搬送波のリストから周波数バーストを連続的に探索する。周波数バーストを検出した時点で、無線通信デバイス１０４は、それの公称周波数に関する周波数オフセットを推定し、それは、搬送波から６７．７ｋＨｚである。無線通信デバイス１０４局所発振器（ＬＯ）は、この推定された周波数オフセットを用いて訂正される。パワーアップモードでは、周波数オフセットは、±１９ｋＨｚにもなる可能性がある。無線通信デバイス１０４は、待機モードでそれの同期を維持するために周波数バーストをモニタリングするために周期的にウェークアップする。待機モードでは、周波数オフセットは、±２ｋＨｚ内である。
【００５３】
ＧＥＲＡＮシステムでは、情報、例えば、音声、データ及び又は制御情報、を通信するために１つ以上の変調方式が使用される。変調方式の例は、ガウス最小偏移変調（ＧＭＳＫ）、Ｍ−ａｒｙ直交振幅変調（ＱＡＭ）又はＭ−ａｒｙＰＳＫ（位相偏移変調）を含み、ここで、Ｍ＝２ｎであり、ｎは、指定された変調方式に関するシンボル期間内で符号化されるビット数である。ＧＭＳＫは、２７０．８３キロビット／秒（Ｋｂｐｓ）の最大レートでの生送信を可能にする一定包絡線バイナリ変調方式である。
【００５４】
汎用パケット無線サービス（ＧＰＲＳ）は、音声以外のサービスである。それは、携帯電話ネットワークを通じて情報を送信及び受信するのを可能にする。それは、回線交換データ（ＣＳＤ）及びショートメッセージサービス（ＳＭＳ）を補足する。ＧＰＲＳは、ＧＳＭと同じ変調方式を採用する。ＧＰＲＳは、フレーム全体（すべての８つのタイムスロット）を単一の移動局によって同時に使用することを可能にする。従って、より高いデータスループットを達成可能である。
【００５５】
ＥＤＧＥ規格は、ＧＭＳＫ変調及び８−ＰＳＫ変調の両方を使用する。また、変調タイプは、バーストごとに変えることができる。ＥＤＧＥでの８−ＰＳＫ変調は、３π／８の回転を有する線形の８レベル位相変調であり、ＧＭＳＫは、非線形のガウスパルス整形周波数変調である。しかしながら、ＧＳＭで使用される特定のＧＭＳＫ変調は、線形変調（すなわち、π／２回転を有する２レベル位相変調）と近似させる（ａｐｐｒｏｘｉｍａｔｅ）ことができる。近似されたＧＳＭＫのシンボルパルス及び８−ＰＳＫのシンボルパルスは同一である。ＥＧＰＲＳ２規格は、ＧＭＳＫ、ＱＰＳＫ、８−ＰＳＫ、１６−ＱＡＭ及び３２−ＱＡＭ変調を使用する。変調タイプは、バーストごとに変えることができる。ＥＧＰＲＳ２でのＱＰＳＫ、８−ＰＳＫ、１６−ＱＡＭ及び３２−ＱＡＭ変調は、３π／４、３π／８、π／４、−π／４回転を有する線形の、４レベル、８レベル、１６レベル及び３２レベルの位相変調であり、他方、ＧＭＳＫは、非線形のガウスパルス整形周波数変調である。しかしながら、ＧＳＭで使用される特定のＧＭＳＫ変調は、線形変調（すなわち、π／２回転を有する２レベル位相変調）と近似させることができる。近似されたＧＳＭＫのシンボルパルス及び８−ＰＳＫのシンボルパルスは同一である。Ｑ−ＰＳＫ、１６−ＱＡＭ及び３２−ＱＡＭのシンボルパルスは、スペクトル的に狭い又は広いパルス形を使用することができる。
【００５６】
ＧＳＭ／ＥＤＧＥでは、移動局（ＭＳ）が周波数オフセット推定及び訂正を用いてそれらの局所発振器（ＬＯ）を基地局（ＢＳ）ＬＯに同期させるのを可能にするために基地局によって周波数バースト（ＦＢ）が定常的に送信される。これらのバーストは、単一のトーンを備え、それは、すべて“０”のペイロード及びトレーニングシーケンスに対応する。周波数バーストのすべてゼロのペイロードは、一定の周波数信号、又は単一のトーンバーストである。電力モードにあるときには、遠隔局は、搬送波のリストから周波数バーストを連続的に探索する。周波数バーストを検出した時点で、ＭＳは、それの公称周波数に関する周波数オフセットを推定し、それは、搬送波から６７．７ｋＨｚである。ＭＳ  ＬＯは、この推定された周波数オフセットを用いて訂正される。パワーアップモードでは、周波数オフセットは、±１９ｋＨｚにもなる可能性がある。ＭＳは、待機モードでそれの同期を維持するために周波数バーストをモニタリングするために周期的にウェークアップする。待機モードでは、周波数オフセットは、±２ｋＨｚ内である。
【００５７】
図６は、本発明の幾つかの実施形態による送信回路６４１（電力増幅器（ＰＡ）６４２を含む）と、受信回路６４３と、電力コントローラ６４４と、復号プロセッサ６４５と、信号を処理する際の使用のための処理ユニット６４６と、メモリ６４７と、を含む無線デバイス６００の例を示す。無線デバイス６００は、基地局１０２又は無線通信デバイス１０４であることができる。送信回路６４１及び受信回路６４３は、無線デバイス６００と遠隔位置との間でのデータの送信及び受信、例えば、音声通信、を可能にすることができる。送信回路６４１及び受信回路６４３は、アンテナ６４０に結合することができる。
【００５８】
処理ユニット６４６は、無線デバイス６００の動作を制御する。処理ユニット６４６は、中央処理装置（ＣＰＵ）と呼ばれることもある。メモリ６４７は、読み取り専用メモリ（ＲＯＭ）とランダムアクセスメモリ（ＲＡＭ）の両方を含むことができ、処理ユニット６４６に命令及びデータを提供する。メモリ６４７の一部は、非揮発性ランダムアクセスメモリ（ＮＶＲＡＭ）を含むこともできる。
【００５９】
無線デバイス６００の様々なコンポーネントは、バスシステム６４９によってまとめて結合され、バスシステム６４９は、データバスに加えて、電力バスと、制御信号バスと、状態信号バスと、を含むことができる。明確化を目的として、様々なバスは、図６ではバスシステム６４９として例示される。
【００６０】
方法実施形態の態様（例えば、方法の動作又はステップ）は、無線デバイス６００内のメモリ６４７に配置されたソフトウェア又はファームウェアの形態での命令として格納することもできる。これらの命令は、無線デバイス６００のコントローラ／プロセッサによって実行することができる。代替として、又は関係させて、説明される方法のステップは、無線デバイス６００内のメモリ６４７に配置されたソフトウェア又はファームウェア６４８の形態での命令として格納することもできる。これらの命令は、図６の無線デバイス６００の処理ユニット６４６によって実行することができる。
【００６１】
図７は、本発明の幾つかの実施形態による送信機構造及び／又はプロセスの例を示す。図７の送信機構造及び／又はプロセスは、無線デバイス、例えば、無線通信デバイス１０４又は基地局１０２、に実装することができる。図７に示される機能及びコンポーネントは、ソフトウェア、ハードウェア又はソフトウェアとハードウェアの組み合わせによって実装することができる。示されている機能に加えて又は示されている機能の代わりにその他の機能を図７に加えることができる。
【００６２】
図７において、データソース７５０は、フレーム品質インジケータ（ＦＱＩ）／符号器７５２にデータｄ（ｔ）７５１を提供する。フレーム品質インジケータ（ＦＱＩ）／符号器７５２は、フレーム品質インジケータ（ＦＱＩ）、例えば、巡回冗長性検査（ＣＲＣ）、をデータｄ（ｔ）に添付することができる。フレーム品質インジケータ（ＦＱＩ）／符号器７５２は、符号化されたシンボル７５３を提供するために１つ以上のコーディング方式を用いてデータ及びフレーム品質インジケータ（ＦＱＩ）をさらに符号化することができる。各コーディング方式は、１つ以上のタイプのコーディング、例えば、畳み込み式コーディング、ターボコーディング、ブロックコーディング、繰り返しコーディング、その他のタイプのコーディング、又はコーディングなしを含むことができる。その他のコーディング方式は、自動再送要求（ＡＲＱ）技法と、ハイブリッドＡＲＱ（Ｈ−ＡＲＱ）技法と、漸増冗長性繰り返し技法と、を含むことができる。異なるコーディング方式で異なるタイプのデータを符号化することができる。
【００６３】
インターリーバ７５４は、フェージングに対処するために時間の点で符号化されたデータシンボル７５３をインターリービングし、シンボル７５５を生成する。インターリービングされたシンボル７５５は、フレーム７５７を生成するためにフレームフォーマットブロック７５６によって予め定義されたフレームフォーマットにマッピングすることができる。一例では、フレームフォーマットブロック７５６は、フレーム７５７を複数のサブセグメントから成ると規定することができる。サブセグメントは、所定の次元、例えば、時間、周波数、コード又はその他の次元に沿ったフレームの連続する部分であることができる。フレーム７５７は、一定の複数の該サブセグメントから成ることができ、各サブセグメントは、総シンボル数のうちのそのフレームに割り当てられた部分を含む。一例では、インターリービングされたシンボル７５５は、フレーム７５７を構成する複数Ｓのサブセグメントにセグメント化される。
【００６４】
フレームフォーマットブロック７５６は、インターリービングされたシンボル７５５とともに例えば制御シンボル（示されていない）の含有をさらに指定することができる。該制御シンボルは、例えば、電力制御シンボル、フレームフォーマット情報シンボル、等を含むことができる。
【００６５】
変調器７５８は、フレーム７５７を変調して変調されたデータ７５９を生成する。変調技法の例は、２位相偏移変調（ＢＰＳＫ）と、４位相偏移変調（ＱＰＳＫ）と、を含む。変調器７５８は、変調されたデータのシーケンスを繰り返すこともできる。
【００６６】
ベースバンド−無線周波数（ＲＦ）変換ブロック７６０は、１つ以上の無線デバイス受信機への無線通信リンクを通じての信号７６２としてのアンテナ７６１を介しての送信のために変調されたデータ７５９をＲＦ信号に変換することができる。
【００６７】
図８は、本発明の幾つかの実施形態による基地局８０２から無線通信デバイス８０４へのシステム情報タイプ３メッセージ８７４の送信を例示したブロック図である。例えば、基地局８０２は、基地局１０２であることができ、無線通信デバイス８０４は、図１の無線通信デバイス１０４であることができる。システム情報タイプ３メッセージ８７４は、無線通信デバイス８０４が配置されているセル内でシステム情報タイプ２１メッセージがブロードキャストされるかどうかを無線通信デバイス８０４に知らせるために使用することができる。システム情報タイプ２１メッセージは、禁止表示、例えば、拡張アクセス禁止（Ｅｘｔｅｎｄｅｄ  Ａｃｃｅｓｓ  Ｂａｒｒｉｎｇ）（ＥＡＢ）、がネットワークによってサポートされるときに基地局８０２によって送信することができる。無線通信デバイス８０４が拡張アクセス禁止（ＥＡＢ）のために構成されていない場合は、無線通信デバイス８０４は、システム情報タイプ２１メッセージを無視することができる。システム情報タイプ２１メッセージは、権限が付与されたアクセスクラスのリスト及び禁止表示（例えば、拡張アクセス禁止（ＥＡＢ））の対象となっている無線通信デバイスのサブカテゴリを提供することができる。システム情報タイプ２１メッセージの直近に受信されたインスタンスのみがサービスを提供するセルにとって有効であるとみなされる。
【００６８】
システム情報タイプ２１メッセージの内容が表１に記載される。換言すると、表１は、システム情報タイプ２１メッセージの構造を示す。システム情報タイプ２１メッセージは、情報要素識別子（ＩＥＩ）、情報要素、タイプ／参照（３ＧＰＰ  ＴＳ  ４４．０１８において説明）、存在、フォーマット及び長さを有することができる。
【表１】
0005813857.tif 000002
【００６９】
システム情報タイプ２１レストオクテット情報要素（ＩＥ）は、禁止表示、例えば、拡張アクセス禁止（ＥＡＢ）情報、を含むことができる。システム情報タイプ２１レストオクテット情報要素（ＩＥ）は、２０オクテットの長さを有するタイプ５情報要素（ＩＥ）であることができる。
【００７０】
過去には、汎用パケット無線サービス（ＧＰＲＳ）をサポートする基地局８０２及び無線通信デバイス８０４のみがシステム情報タイプ２１メッセージを使用することができた。従って、基地局８０２又は無線通信デバイス８０４のいずれかが汎用パケット無線サービス（ＧＰＲＳ）をサポートしていなかった場合は、システム情報タイプ２１メッセージは、禁止表示（例えば、拡張アクセス禁止（ＥＡＢ）情報）を中継するためには使用することができなかった。本発明の実施形態では、基地局８０２及び無線通信デバイス８０４の汎用パケット無線サービス（ＧＰＲＳ）互換性は、システム情報タイプ２１メッセージの使用にとって無関係である。
【００７１】
基地局８０２は、システム情報タイプ２１ブロードキャスト表示モジュール８７０を含むことができる。システム情報タイプ２１ブロードキャスト表示モジュール８７０は、システム情報タイプ２１メッセージがセル内でブロードキャストされるときに無線通信デバイス８０４に示すために基地局８０２によって使用することができる。無線通信デバイス８０４は、システム情報タイプ２１メッセージがいつ基地局８０２によってブロードキャストされるかを知らされる必要があり、そうでない場合は、無線通信デバイス８０４は、メッセージが送信されていないときにそれを探すために時間を費やし、時間とエネルギーリソースの無駄になることがある。
【００７２】
一構成では、基地局８０２は、第２のメッセージ（例えば、システム情報タイプ２１メッセージ）がセル内でブロードキャストされるかどうかを無線通信デバイス８０４に示すために第１のメッセージ（例えば、システム情報タイプ３メッセージ８７４）を使用することができる。無線通信デバイス８０４は、システム情報タイプ３メッセージ８７４を読み取ることが要求される。システム情報タイプ３メッセージ８７４が（以下において図９と関連させてさらに詳細に説明される）ＷＨＥＲＥフィールドを含まない場合は（ＷＨＥＲＥフィールドは、通常は、システム情報タイプ３メッセージ８７４内には存在しない）、システム情報タイプ２１メッセージに関する情報をシステム情報タイプ３メッセージ８７４に含めることができる。システム情報タイプ３メッセージ８７４は、システム情報タイプ３レストオクテット８７６を含むことができる。システム情報タイプ３レストオクテット８７６は、システム情報タイプ３メッセージ８７４で使用される情報要素（ＩＥ）である。
【００７３】
システム情報タイプ３レストオクテット８７６は、最大３２ビットのスペースを有し、１つのフィールドは、情報要素（ＩＥ）において条件付きである。システム情報タイプ３レストオクテット８７６内に汎用パケット無線サービス（ＧＰＲＳ）インジケータが存在する場合は、Ｉｕ（インタフェースユニット）インジケータは存在しない。このようにして、レストオクテットに関する現在の定義ですべてのフィールドを３２ビット内に正確に納めることが可能である。
【００７４】
システム情報タイプ３メッセージ８７４にＷＨＥＲＥフィールドが含まれていない場合は、最悪の場合は、システム情報タイプ３レストオクテット８７６は２９ビットを使用し、システム情報タイプ３レストオクテット８７６がシステム情報タイプ２１メッセージインジケータ８７８を含めるためのスペースが存在する。利用可能な３ビットが存在するため、システム情報タイプ２１メッセージがセル内でブロードキャストされるのを示すシステム情報タイプ２１メッセージインジケータ８７８のために１ビットを使用し、システム情報タイプ２１メッセージがブロードキャスト制御チャネル（ＢＣＣＨ）Ｎｏｒｍ又はブロードキャスト制御チャネル（ＢＣＣＨ）Ｅｘｔｅｎｄｅｄ（システム情報タイプ２１位置インジケータ８８０を使用）を介してブロードキャストされるかどうかを示すための１ビットを使用することが可能である。システム情報タイプ２１メッセージインジケータ８７８が、システム情報タイプ２１メッセージがブロードキャストされないことを示す場合は、システム情報タイプ３レストオクテット８７６内にシステム情報タイプ２１位置インジケータ８８０を含める必要がない。
【００７５】
システム情報タイプ３レストオクテット８７６情報要素（ＩＥ）に関する詳細が以下の表２に示される。表２は、以下に規定される構文によりコーディングされ、３ＧＰＰ  ＴＳ  ４４．０１８  Ｔａｂｌｅ  １０．５．２．３４．１．において説明されるシステム情報タイプ３レストオクテット（ＳＩ３レストオクテット）情報を例示する。
【表２】
0005813857.tif 000003
【００７６】
システム情報タイプ２１メッセージインジケータ８７８及びシステム情報タイプ２１位置インジケータ８８０が以下の表３においてさらに詳細に説明される。以下の表３は、以下に規定される構文による及び３ＧＰＰ  ＴＳ  ４４．０１８  Ｔａｂｌｅ  １０．５．２．３４．１．において説明されるシステム情報タイプ２１位置インジケータを例示する。
【表３】
0005813857.tif 000004
【００７７】
無線通信デバイス８０４は、システム情報タイプ２１検出モジュール８７２を含むことができる。無線通信デバイス８０４は、システム情報タイプ２１メッセージがセル内の基地局８０２によってブロードキャストされているかどうかを決定するためにシステム情報タイプ２１検出モジュール８７２を使用することができる。例えば、無線通信デバイス８０４は、システム情報タイプ３メッセージ８７４内のシステム情報タイプ２１メッセージインジケータ８７８がハイ（ｈｉｇｈ）又はロー（ｌｏｗ）のいずれに設定されているかを決定するためにシステム情報タイプ２１検出モジュール８７２を使用することができる。システム情報タイプ２１メッセージインジケータ８７８がハイに設定されている場合は、無線通信デバイス８０４は、システム情報タイプ２１メッセージのためのシステム情報タイプ２１位置インジケータ８８０を決定するためにシステム情報タイプ２１検出モジュール８７２を使用することもできる。
【００７８】
図９は、本発明の幾つかの実施形態による基地局９０２から無線通信デバイス９０４へのシステム情報タイプ３メッセージ９７４及びシステム情報タイプ９メッセージ９８４の両方の送信を例示したブロック図である。例えば、基地局９０２は、基地局１０２であることができ、無線通信デバイス９０４は、図１の無線通信デバイス１０４であることができる。上述されるように、無線通信デバイス９０４は、システム情報タイプ３メッセージ９７４を読み取るように要求することができる。しかしながら、無線通信デバイス９０４は、システム情報タイプ９メッセージ９８４を読み取ることは要求することができない。システム情報タイプ２１メッセージインジケータ９７８を含めるための十分なスペースがシステム情報タイプ３メッセージ９７４内に存在しない場合は、システム情報タイプ９メッセージ９８４にはシステム情報タイプ２１メッセージインジケータ９８８を代わりに含めることができる。
【００７９】
基地局９０２は、システム情報タイプ２１ブロードキャスト表示モジュール９７０を含むことができる。システム情報タイプ２１ブロードキャスト表示モジュール９７０は、システム情報タイプ２１メッセージがセル内でブロードキャストされるときを無線通信デバイス９０４に示すために基地局９０２によって使用することができる。上述されるように、無線通信デバイス９０４は、システム情報タイプ２１メッセージがいつ基地局９０２によってブロードキャストされるかを知らされる必要があり、そうでない場合は、無線通信デバイス９０４は、メッセージが送信されていないときにそれを探すために時間を費やし、時間とエネルギーリソースの無駄になることがある。
【００８０】
無線通信デバイス９０４がシステム情報タイプ３メッセージ９７４を読み取るときには、無線通信デバイス９０４は、最初に、システム情報タイプ３メッセージ９７４上のシステム情報タイプ３レストオクテット９７６がＷＨＥＲＥフィールド９８２を含むかどうかを検査することができる。システム情報タイプ３レストオクテット９７６がＷＨＥＲＥフィールド９８２を含む場合は、無線通信デバイス９０４は、システム情報タイプ９メッセージ９８４がシステム情報タイプ２１メッセージインジケータ９８８とともに基地局９０２によってブロードキャストされているのを知っていることができる。従って、無線通信デバイス９０４がシステム情報タイプ９メッセージ９８４を読み取るようにシステム情報タイプ３メッセージ９７４によって指示することができる。
【００８１】
システム情報タイプ９メッセージ９８４は、システム情報タイプ９レストオクテット９８６を含むことができる。システム情報タイプ９レストオクテット９８６は、システム情報タイプ９メッセージ９８４で使用される情報要素（ＩＥ）である。システム情報タイプ９レストオクテット９８６は、システム情報タイプ２１メッセージインジケータ９８８を含むことができる。システム情報タイプ９レストオクテット９８６情報要素（ＩＥ）に関する詳細が表４に示される。以下の表４は、以下に規定される構文による及び３ＧＰＰ  ＴＳ  ４４．０１８  Ｔａｂｌｅ  １０．５．２．３７ａ．２において説明されるシステム情報タイプ９レストオクテットを例示する。
【表４−１】
0005813857.tif 000005
【表４−２】
0005813857.tif 000006
【００８２】
無線通信デバイス９０４は、システム情報タイプ２１検出モジュール９７２を含むことができる。システム情報タイプ２１検出モジュール９７２は、システム情報タイプ２１メッセージがセル内の基地局９０２によってブロードキャストされているかどうかを決定することができる。例えば、システム情報タイプ２１検出モジュール９７２は、システム情報タイプ９メッセージ９８４内のシステム情報タイプ２１メッセージインジケータ９８８がハイ又はローのいずれに設定されるかを決定することができる。
【００８３】
図１０は、本発明の幾つかの実施形態によるシステム情報タイプ２１メッセージがブロードキャストされるかどうかを無線通信デバイス８０４に知らせるための方法１０００の流れ図である。方法１０００は、基地局８０２によって実施することができる。一構成では、方法１０００は、基地局８０２に配置されたシステム情報タイプ２１ブロードキャスト表示モジュール８７０によって実施することができる。基地局８０２は、セル内においてシステム情報タイプ２１メッセージがブロードキャストされるべきかどうかを決定する１００２ことができる。基地局８０２は、システム情報タイプ３メッセージ８７４、９７４内にＷＨＥＲＥフィールド９８２が存在するかどうかを決定する１００４ことができる。
【００８４】
システム情報タイプ３メッセージ９７４内にＷＨＥＲＥフィールド９８２が存在する場合は、基地局８０２は、システム情報タイプ２１がセル内でブロードキャストされるかどうかを示すシステム情報タイプ９メッセージ９８４を生成する１０１０ことができる。この理由は、システム情報タイプ３メッセージ９７４内にはシステム情報タイプ２１メッセージインジケータ８７８を含める上で不十分なスペースが存在するためである。しかしながら、システム情報タイプ３メッセージ９７４内にＷＨＥＲＥフィールド９８２を含むことは、システム情報タイプ９メッセージ９８４を読み取る必要があることを無線通信デバイス８０４に示す。これで、基地局８０２は、システム情報メッセージをブロードキャストする１００８ことができる。
【００８５】
システム情報タイプ３メッセージ８７４内にＷＨＥＲＥフィールド９８２が存在しない場合は、システム情報タイプ３メッセージ８７４は、システム情報タイプ２１メッセージインジケータ８７８を含めるための十分なスペースを有することができる。基地局８０２は、システム情報タイプ２１メッセージがセル内でブロードキャストされるかどうかを示すシステム情報タイプ３メッセージ８７４を生成する１００６ことができる。基地局８０２は、システム情報メッセージをブロードキャストする１００８ことができる。
【００８６】
図１１は、本発明の幾つかの実施形態によるセル内でシステム情報タイプ２１メッセージがブロードキャストされるかどうかを無線通信デバイス８０４に知らせるための方法１１００の他の流れ図である。方法１１００は、基地局８０２によって実施することができる。一構成では、方法１１００は、基地局８０２に配置されたシステム情報タイプ２１ブロードキャスト表示モジュール８７０によって実施することができる。方法１１００が開始することができる。基地局８０２は、“Ｅａｒｌｙ  Ｃｌａｓｓｍａｒｋ  Ｓｅｎｄｉｎｇ  Ｃｏｎｔｒｏｌ”を含む“Ｅａｒｌｙ  Ｃｌａｓｓｍａｒｋ  Ｓｅｎｄｉｎｇ  Ｃｏｎｔｒｏｌ”までシステム情報タイプ３レストオクテット８７６を符号化する１１０２ことができる。次に、基地局８０２は、ＷＨＥＲＥフィールド９８２を符号化してシステム情報タイプ３レストオクテット８７６内に含めるべきかどうかを決定する１１０４ことができる。
【００８７】
ＷＨＥＲＥフィールド９８２が符号化されてシステム情報タイプ３レストオクテット８７６内に含められるべきでない場合は、基地局８０２は、セル内でシステム情報タイプ２１メッセージがブロードキャストされるかどうかを決定する１１１２ことができる。セル内でシステム情報タイプ２１メッセージがブロードキャストされる場合は、基地局８０２は、システム情報タイプ３メッセージ８７４内のシステム情報タイプ２１メッセージインジケータ９８８を符号化する１１１４ことができる。これで、方法１１００は終了することができる。システム情報タイプ２１メッセージがセル内でブロードキャストされない場合は、方法１１００は終了することができる。
【００８８】
ＷＨＥＲＥフィールド９８２が符号化されてシステム情報タイプ３レストオクテット９７６内に含められるべきである場合は、基地局８０２は、ＷＨＥＲＥフィールド９８２及びシステム情報タイプ２１メッセージインジケータ８７８を除くシステム情報タイプ３レストオクテット９７６内のフィールドのうちの残りの部分を符号化することができる。次に、基地局８０２は、セル内でシステム情報タイプ２１メッセージがブロードキャストされるかどうかを決定する１１０８ことができる。セル内でシステム情報タイプ２１メッセージがブロードキャストされない場合は、方法１１００が終了し、希望に応じて又は必要に応じて繰り返すことができる。セル内でシステム情報タイプ２１メッセージがブロードキャストされる場合は、基地局８０２は、システム情報タイプ９メッセージ９８４内のシステム情報タイプ２１メッセージインジケータ９８８を符号化する１１１０ことができる。これで方法１１００は終了することができる。セル内でシステム情報タイプ２１メッセージがブロードキャストされない場合は、方法１１００は終了することができる。
【００８９】
図１２は、本発明の幾つかの実施形態によるシステム情報タイプ２１メッセージがセル内でブロードキャストされているかどうかを決定するための方法１２００の流れ図である。方法１２００は、無線通信デバイス８０４によって実施することができる。一構成では、方法１２００は、無線通信デバイス８０４のシステム情報タイプ２１検出モジュール８７２によって実施することができる。無線通信デバイス８０４は、システム情報タイプ３メッセージ８７４内でＷＨＥＲＥフィールド９８２が使用されるかどうかを決定する１２０４ことができる。
【００９０】
システム情報タイプ３メッセージ８７４内でＷＨＥＲＥフィールドが使用されない場合は、無線通信デバイス８０４は、システム情報タイプ３メッセージ８７４がセル内でのシステム情報タイプ２１メッセージのブロードキャストを示すかどうかを決定することができる。システム情報タイプ３メッセージ８７４がセル内でのシステム情報タイプ２１メッセージのブロードキャストを示す場合は、無線通信デバイス８０４は、システム情報タイプ２１メッセージを受信する１２０８ことができる。システム情報タイプ３メッセージ８７４がセル内でのシステム情報タイプ２１メッセージのブロードキャストを示さない場合は、方法１２００は終了することができる。換言すると、セル内でシステム情報タイプ２１メッセージがブロードキャストされていないため、無線通信デバイス８０４は、システム情報タイプ２１メッセージを探索する必要がない。
【００９１】
システム情報タイプ２１メッセージ９７４内でＷＨＥＲＥフィールド９８２が使用される場合は、無線通信デバイス８０４は、セル内の基地局８０２によってシステム情報タイプ９メッセージ９８４がブロードキャストされているのを知っている。無線通信デバイス８０４は、システム情報タイプ９メッセージ９８４を受信する１２１０ことができる。次に、無線通信デバイス８０４は、システム情報タイプ９メッセージ９８４がセル内でのシステム情報タイプ２１メッセージのブロードキャストを示すかどうかを決定する１２１４ことができる。システム情報タイプ９メッセージ９８４がセル内でのシステム情報タイプ２１メッセージのブロードキャストを示す場合は、無線通信デバイス８０４は、システム情報タイプ２１メッセージを受信する１２０８ことができる。システム情報タイプ９メッセージ９８４がセル内でのシステム情報タイプ２１メッセージのブロードキャストを示さない場合は、方法１２００は終了することができる。
【００９２】
図１３は、本発明の幾つかの実施形態によるシステム情報タイプ２１メッセージがセル内でブロードキャストされているかどうかを決定するための他の方法１３００の流れ図である。方法１３００は、無線通信デバイス８０４によって実施することができる。一構成では、方法１３００は、無線通信デバイス８０４のシステム情報タイプ２１検出モジュール８７２によって実施することができる。方法１３００が開始することができる。無線通信デバイス８０４は、“Ｅａｒｌｙ  Ｃｌａｓｓｍａｒｋ  Ｓｅｎｄｉｎｇ  Ｃｏｎｔｒｏｌ”を含む“Ｅａｒｌｙ  Ｃｌａｓｓｍａｒｋ  Ｓｅｎｄｉｎｇ  Ｃｏｎｔｒｏｌ”までシステム情報タイプ３レストオクテット８７６を符号化する１３０２ことができる。次に、無線通信デバイス８０４は、システム情報タイプ３レストオクテット８７６内にＷＨＥＲＥフィールド９８２が存在するかどうかを決定する１３０４ことができる。
【００９３】
システム情報タイプ３レストオクテット８７６内にＷＨＥＲＥフィールド９８２が存在しない場合は、無線通信デバイス１０４は、システム情報タイプ３レストオクテット８７６からの全フィールドを復号する１３０６ことができる。次に、無線通信デバイス８０４は、システム情報タイプ３レストオクテット８７６内にシステム情報タイプ２１メッセージインジケータ８７８が存在するかどうかを決定する１３０８ことができる。システム情報タイプ３レストオクテット８７６内にシステム情報タイプ２１メッセージインジケータ８７８が存在する場合は、無線通信デバイス８０４は、セル内でシステム情報タイプ２１メッセージがブロードキャストされると決定する１３１０ことができる。これで、方法１３００は終了することができる。システム情報タイプ３レストオクテット８７６内にシステム情報タイプ２１メッセージインジケータ８７８が存在しない場合は、無線通信デバイス８０４は、セル内でシステム情報タイプ２１メッセージがブロードキャストされないと決定する１３１２ことができ、方法１３００は終了することができる。
【００９４】
システム情報タイプ３レストオクテット９７６内にＷＨＥＲＥフィールド９８２が存在する場合は、無線通信デバイス８０４は、ＷＨＥＲＥフィールド９８２をシステム情報タイプ３レストオクテット９７６内のフィールドの残りの部分とともに復号する１３１４ことができる。次に、無線通信デバイス８０４は、システム情報タイプ９メッセージ９８４を復号する１３１６ことができる。無線通信デバイス８０４は、システム情報タイプ９レストオクテット９８６内にシステム情報タイプ２１メッセージインジケータ９８８が存在するかどうかを決定する１３１８ことができる。システム情報タイプ９レストオクテット９８６内にシステム情報タイプ２１メッセージインジケータ９８８が存在しない場合は、無線通信デバイス８０４は、セル内でシステム情報タイプ２１メッセージがブロードキャストされないと決定する１３１２ことができる。これで、方法１３００は終了することができる。システム情報タイプ９レストオクテット９８６内にシステム情報タイプ２１メッセージインジケータ９８８が存在する場合は、無線通信デバイス８０４は、セル内でシステム情報タイプ２１メッセージがブロードキャストされると決定する１３２０ことができる。これで、方法１３００は終了することができる。
【００９５】
図１４は、本発明の幾つかの実施形態による基地局１４０２内に含めることができる幾つかのコンポーネントを例示する。基地局１４０２は、アクセスポイント、ブロードキャスト送信機、ノードＢ、エボルブドノードＢ、等と呼ばれることもあり、アクセスポイント、ブロードキャスト送信機、ノードＢ、エボルブドノードＢ、等の機能の一部又は全部を含むことができる。例えば、基地局１４０２は、図１の基地局１０２であることができる。
【００９６】
基地局１４０２は、プロセッサ１４０３を含む。プロセッサ１４０３は、汎用のシングルチップ又はマルチチップマイクロプロセッサ（例えば、ＡＲＭ）、専用マイクロプロセッサ（例えば、デジタル信号プロセッサ（ＤＳＰ））、マイクロコントローラ、プログラマブルゲートアレイ、等であることができる。プロセッサ１４０３は、中央処理装置（ＣＰＵ）と呼ばれることがある。図１４の基地局１４０２内では単一のプロセッサ１４０３のみが示されるが、代替構成では、プロセッサ（例えば、ＡＲＭ及びＤＳＰ）の組み合わせを使用可能である。
【００９７】
基地局１４０２は、メモリ１４０５も含む。メモリ１４０５は、電子情報を格納することが可能なあらゆる電気的コンポーネントであることができる。メモリ１４０５は、ランダムアクセスメモリ（ＲＡＭ）、読み取り専用メモリ（ＲＯＭ）、磁気ディスク記憶媒体、光学記憶媒体、ＲＡＭ内のフラッシュメモリデバイス、プロセッサとともに含まれる搭載メモリ、ＥＰＲＯＭメモリ、ＥＥＰＲＯＭメモリ、レジスタ、等として具現化することができ、それらの組み合わせを含む。
【００９８】
メモリ１４０５にはデータ１４０７ａ及び命令１４０９ａを格納することができる。命令１４０９ａは、ここにおいて開示される方法を実装するためにプロセッサ１４０３によって実行可能であることができる。命令１４０９ａを実行することは、メモリ１４０５に格納されるデータ１４０７ａの使用を含むことができる。プロセッサ１４０３が命令１４０９ａを実行するときには、命令１４０９ｂの様々な部分をプロセッサ１４０３にローディングすることができ、様々なデータ１４０７ｂをプロセッサ１４０３にローディングすることができる。
【００９９】
基地局１４０２は、基地局１４０２への及び基地局１４０２からの信号の送信及び受信を可能にするための送信機１４１１と受信機１４１３とを含むこともできる。送信機１４１１及び受信機１４１３は、総じてトランシーバ１４１５と呼ぶことができる。アンテナ１４１７は、トランシーバ１４１５に電気的に結合することができる。基地局１４０２は、複数の送信機、複数の受信機、複数のトランシーバ及び／又は追加のアンテナを含むこともできる（示されていない）。
【０１００】
基地局１４０２は、デジタル信号プロセッサ（ＤＳＰ）１４２１を含むことができる。基地局１４０２は、通信インタフェース１４２３を含むこともできる。通信インタフェース１４２３は、ユーザが基地局１４０２と対話するのを可能にすることができる。
【０１０１】
基地局１４０２の様々なコンポーネントを１つ以上のバスによってまとめて結合することができ、それらは、電力バスと、制御信号バスと、状態信号バスと、データバスと、等を含むことができる。明確化を目的として、様々なバスは、図１４ではバスシステム１４１９として例示される。
【０１０２】
図１５は、本発明の幾つか実施形態による無線通信デバイス１５０４内に含めることができる幾つかのコンポーネントを例示する。無線通信デバイス１５０４は、アクセス端末、移動局、ユーザ装置（ＵＥ）、等であることができる。無線通信デバイス１５０４は、プロセッサ１５０３を含む。例えば、無線通信デバイス１５０４は、図１の無線通信デバイス１０４であることができる。
【０１０３】
プロセッサ１５０３は、汎用のシングルチップ又はマルチチップマイクロプロセッサ（例えば、ＡＲＭ）、専用マイクロプロセッサ（例えば、デジタル信号プロセッサ（ＤＳＰ））、マイクロコントローラ、プログラマブルゲートアレイ、等であることができる。プロセッサ１５０３は、中央処理装置（ＣＰＵ）と呼ばれることがある。図１５の基地局１５０４内では単一のプロセッサ１５０３のみが示されるが、代替構成では、プロセッサ（例えば、ＡＲＭ及びＤＳＰ）の組み合わせを使用可能である。
【０１０４】
無線通信デバイス１５０２は、メモリ１５０５も含む。メモリ１５０５は、電子情報を格納することが可能なあらゆる電気的コンポーネントであることができる。メモリ１５０５は、ランダムアクセスメモリ（ＲＡＭ）、読み取り専用メモリ（ＲＯＭ）、磁気ディスク記憶媒体、光学記憶媒体、ＲＡＭ内のフラッシュメモリデバイス、プロセッサとともに含まれる搭載メモリ、ＥＰＲＯＭメモリ、ＥＥＰＲＯＭメモリ、レジスタ、等として具現化することができ、それらの組み合わせを含む。
【０１０５】
メモリ１５０５にはデータ１５０７ａ及び命令１５０９ａを格納することができる。命令１５０９ａは、ここにおいて開示される方法を実装するためにプロセッサ１５０３によって実行可能であることができる。命令１５０９ａを実行することは、メモリ１５０５に格納されるデータ１５０７ａの使用を含むことができる。プロセッサ１５０３が命令１５０９を実行するときには、命令１５０９ｂの様々な部分をプロセッサ１５０３にローディングすることができ、様々なデータ１５０７ｂをプロセッサ１５０３にローディングすることができる。
【０１０６】
無線通信デバイス１５０４は、アンテナ１５１７を介しての無線通信デバイス１５０４への及び無線通信デバイス１５０４からの信号の送信及び受信を可能にするための送信機１５１１と受信機１５１３とを含むこともできる。送信機１５１１及び受信機１５１３は、総じてトランシーバ１５１５と呼ぶことができる。無線通信デバイス１５０４は、複数の送信機、複数のアンテナ、複数の受信機及び／又は複数のトランシーバを含むこともできる（示されていない）。
【０１０７】
無線通信デバイス１５０４は、デジタル信号プロセッサ（ＤＳＰ）１５２１を含むことができる。無線通信デバイス１５０４は、通信インタフェース１５２３を含むこともできる。通信インタフェース１５２３は、ユーザが無線通信デバイス１５０４と通信するのを可能にすることができる。
【０１０８】
無線通信デバイス１５０４の様々なコンポーネントを１つ以上のバスによってまとめて結合することができ、それらは、電力バスと、制御信号バスと、状態信号バスと、データバスと、等を含むことができる。明確化を目的として、様々なバスは、図１５ではバスシステム１５１９として例示される。
【０１０９】
ここにおいて説明される技法は、直交多重化方式に基づく通信システムを含む様々な通信システムに関して用いることができる。該通信システムの例は、直交周波数分割多元接続（ＯＦＤＭＡ）システムと、単一搬送波周波数分割多元接続（ＳＣ−ＦＤＭＡ）システムと、等を含む。ＯＦＤＭＡシステムは、全体的なシステム帯域幅を複数の直交副搬送波に分割する変調技法である直交周波数分割多重（ＯＦＤＭ）を利用する。これらの副搬送波は、トーン、ビン、等と呼ぶことができる。ＯＦＤＭの場合は、各副搬送波は、データとともに独立して変調することができる。ＳＣ−ＦＤＭＡシステムは、システム帯域幅全体に分散された副搬送波で送信するためにインターリービングされたＦＤＭＡ（ＩＦＤＭＡ）を利用すること、隣接する副搬送波のブロックで送信するために局在化されたＦＤＭＡ（ＬＦＤＭＡ）を利用すること、又は隣接する副搬送波の複数のブロックで送信するためにエンハンストＦＤＭＡ（ＥＦＤＭＡ）を利用することができる。概して、変調シンボルは、ＯＦＤＭＡでは周波数領域において、ＳＣ−ＦＤＭＡでは時間領域において送信される。
【０１１０】
上記の説明において、様々な用語と関係させて参照数字が時々用いられている。用語が参照数字と関係させて用いられる場合は、これは、１つ以上の図において示される特定の要素を指すことを意味する。用語が参照数字なしで用いられる場合は、これは、特定の図に限定することなしにその用語を一般的に指すことを意味する。
【０１１１】
表現“決定すること”は、非常に様々な行動を包含し、従って、“決定すること”は、算出すること、計算すること、処理すること、導き出すこと、調査すること、検索すること（例えば、テーブル、データベース又は他のデータ構造において検索すること）、確認すること、等を含むことができる。さらに、“決定すること”は、受信すること（例えば情報を受信すること）、アクセスすること（例えばメモリ内のデータにアクセスすること）、等を含むことができる。さらに、“決定すること”は、解決すること、選択すること、選ぶこと、確立すること、等を含むことができる。
【０１１２】
“に基づく”という表現は、別の意味であることが明示されない限り、“のみに基づく”という意味ではない。換言すると、“に基づく”という表現は、“のみに基づく”及び“少なくとも〜に基づく”の両方を表す。
【０１１３】
用語“プロセッサ”は、汎用プロセッサ、中央処理装置（ＣＰＵ）、マイクロプロセッサ、デジタル信号プロセッサ（ＤＳＰ）、コントローラ、マイクロコントローラ、ステートマシン、等を包含すると広義に解釈されるべきである。幾つかの事情においては、“プロセッサ”は、特定用途向け集積回路（ＡＳＩＣ）、プログラマブルロジックデバイス（ＰＬＤ）、フィールドプログラマブルゲートアレイ（ＦＰＧＡ）、等を意味することができる。用語“プロセッサ”は、処理デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成との組合せ、として実装することもできる。
【０１１４】
用語“メモリ”は、電子情報を格納することが可能ないずれの電子コンポーネントも包含すると広義に解釈されるべきである。用語メモリは、様々なタイプのプロセッサによって読み取り可能な媒体、例えば、ランダムアクセスメモリ（ＲＡＭ）、読み取り専用メモリ（ＲＯＭ）、非揮発性ランダムアクセスメモリ（ＮＶＲＡＭ）、プログラマブル読み取り専用メモリ（ＰＲＯＭ）、消去可能プログラマブル読み取り専用メモリ（ＥＰＲＯＭ）、電気的消去可能ＰＲＯＭ（ＥＥＰＲＯＭ）、フラッシュメモリ、磁気又は光学データ記憶装置、レジスタ、等、を意味することができる。メモリは、プロセッサがメモリから情報を読み出すこと及び／又はメモリに情報を書き込むことができる場合にそのプロセッサと電子的通信状態にあると言われる。プロセッサと一体式のメモリは、そのプロセッサと電子的通信状態にある。
【０１１５】
用語“命令”及び“コード”は、あらゆるタイプのコンピュータによって読み取り可能なステートメントを含むと広義に解釈されるべきである。例えば、用語“命令”及び“コード”は、１つ以上のプログラム、ルーチン、サブルーチン、関数、手順、等を意味することができる。“命令”及び“コード”は、単一のコンピュータによって読み取り可能なステートメント又は数多くのコンピュータによって読み取り可能なステートメントを含むことができる。
【０１１６】
ここにおいて説明される機能は、ハードウェアによって実行されるソフトウェア又はファームウェア内に実装することができる。これらの機能は、コンピュータによって読み取り可能な媒体において１つ以上の命令として格納することができる。用語“コンピュータによって読み取り可能な媒体”又は“コンピュータプログラム製品”は、コンピュータ又はプロセッサによってアクセス可能なあらゆる有形な記憶媒体を意味する。一例として、及び制限することなしに、コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は命令又はデータ構造の形態で希望されるプログラムコードを搬送又は格納するために使用することができ及びコンピュータによってアクセスすることができるあらゆるその他の媒体、を含むことができる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、Ｂｌｕ−ｒａｙ（登録商標）ディスク（ｄｉｓｃ）と、を含み、ここで、ｄｉｓｋは通常はデータを磁気的に複製し、ｄｉｓｃは、レーザーを用いて光学的にデータを複製する。コンピュータによって読み取り可能な媒体は、有形及び非一時的であることができることが注記されるべきである。用語“コンピュータプログラム製品”は、コンピューティングデバイス又はプロセッサによって実行、処理又は計算することができるコード又は命令（例えば、“プログラム”）と結合されたそのコンピューティングデバイス又はプロセッサを意味する。ここにおいて用いられる場合において、用語“コード”は、コンピューティングデバイス又はプロセッサによって実行可能であるソフトウェア、命令、コード又はデータを意味することができる。
【０１１７】
ソフトウェア又は命令は、送信媒体を通じて送信することも可能である。例えば、ソフトウェアが、同軸ケーブル、光ファイバーケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバーケーブル、より対線、ＤＳＬ、又は無線技術、例えば赤外線、無線、及びマイクロ波、は、送信媒体の定義の中に含まれる。
【０１１８】
ここにおいて説明される方法は、説明される方法を達成させるための１つ以上のステップ又は行動を備える。方法上のステップ及び／又は行動は、請求項の適用範囲を逸脱することなしに互いに交換することができる。換言すると、説明されている方法の適切な動作のために特定の順序のステップ又は行動が要求されない限り、特定のステップ及び／又は行動の順序及び／又は使用は、請求項の適用範囲を逸脱することなしに変更することができる。
【０１１９】
さらに、ここにおいて説明される方法及び技法を実施するためのモジュール及び／又はその他の適切な手段、例えば、図１０乃至１３によって例示されるそれら、をデバイスによってダウンロードすること及び／又はその他の形で入手することができることが評価されるべきである。例えば、デバイスは、ここにおいて説明される方法を実施するための手段の転送を容易にするためにサーバに結合することができる。代替として、ここにおいて説明される様々な方法は、記憶手段（例えば、ランダムアクセスメモリ（ＲＡＭ）、読み取り専用メモリ（ＲＯＭ）、物理的記憶媒体、例えばコンパクトディスク（ＣＤ）又はフロッピーディスク、等）を介して提供することができ、このため、デバイスは、これらの記憶手段をデバイスに結合次第又は提供次第様々な方法を入手することができる。さらに、ここにおいて説明される方法及び技法をデバイスに提供するためのその他の適切な技法を利用することが可能である。
【０１２０】
請求項は、上述される正確な構成及びコンポーネントに限定されないことが理解されるべきである。ここにおいて説明されるシステム、方法、及び装置の配置、動作及び詳細は、請求項の適用範囲を逸脱することなしに様々な修正、変更及び変形を行うことが可能である。
以下に、出願当初の特許請求の範囲に記載された発明を付記する。
［Ｃ１］
メッセージのブロードキャストをシグナリングするための方法であって、
第１のメッセージがセル内でブロードキャストされるべきであると決定することであって、前記第１のメッセージは、禁止表示を含むことと、
システム情報タイプ３メッセージである第２のメッセージを生成することであって、前記第２のメッセージは、前記第１のメッセージがブロードキャストされるべきであることの表示を備えることと、
前記第２のメッセージをブロードキャストすることと、を備える、方法。
［Ｃ２］
前記表示は、システム情報タイプ３メッセージ内のシステム情報タイプ３レストオクテット内に存在するＣ１に記載の方法。
［Ｃ３］
前記第１のメッセージは、システム情報タイプ２１メッセージであるＣ２に記載の方法。
［Ｃ４］
前記システム情報タイプ３メッセージは、ＷＨＥＲＥフィールドを備えないＣ３に記載の方法。
［Ｃ５］
前記システム情報タイプ３メッセージは、システム情報タイプ２１インジケータをさらに備えるＣ３に記載の方法。
［Ｃ６］
前記システム情報タイプ３メッセージは、システム情報タイプ２１位置インジケータをさらに備えるＣ３に記載の方法。
［Ｃ７］
前記システム情報タイプ２１位置インジケータは、ＢＣＣＨ  Ｎｏｒｍに設定されるＣ６に記載の方法。
［Ｃ８］
前記システム情報タイプ２１位置インジケータは、ＢＣＣＨ  Ｅｘｔｅｎｄｅｄに設定されるＣ６に記載の方法。
［Ｃ９］
前記システム情報タイプ３メッセージは、ＷＨＥＲＥフィールドを備えるＣ１に記載の方法。
［Ｃ１０］
システム情報タイプ９メッセージを生成することと、
前記システム情報タイプ９メッセージをブロードキャストすることであって、前記第２のメッセージの前記表示は、前記システム情報タイプ９メッセージがブロードキャストされていることを示すことと、をさらに備えるＣ９に記載の方法。
［Ｃ１１］
前記システム情報タイプ９は、前記第１のメッセージがブロードキャストされるべきであることを示す表示をシステム情報タイプ９レストオクテット内に備えるＣ１０に記載の方法。
［Ｃ１２］
前記方法は、基地局によって実施されるＣ１に記載の方法。
［Ｃ１３］
前記禁止表示は、拡張アクセス禁止情報を備えるＣ１に記載の方法。
［Ｃ１４］
第１のメッセージのブロードキャストをシグナリングするための装置であって、
プロセッサと、
前記プロセッサと電子的通信状態にあるメモリと、
前記メモリに格納された命令と、を備え、前記命令は、
第１のメッセージがセル内でブロードキャストされるべきであると決定し、
システム情報タイプ３メッセージである第２のメッセージを生成し、及び
前記第２のメッセージをブロードキャストするために前記プロセッサによって実行可能であり、前記第１のメッセージは、禁止表示を含み、前記第２のメッセージは、前記第１のメッセージがブロードキャストされるべきであることの表示を備える、装置。
［Ｃ１５］
前記表示は、前記システム情報タイプ３メッセージ内のシステム情報タイプ３レストオクテット内に存在するＣ１４に記載の装置。
［Ｃ１６］
前記第１のメッセージは、システム情報タイプ２１メッセージであるＣ１５に記載の装置。
［Ｃ１７］
前記システム情報タイプ３メッセージは、ＷＨＥＲＥフィールドを備えないＣ１６に記載の装置。
［Ｃ１８］
前記システム情報タイプ３メッセージは、システム情報タイプ２１インジケータをさらに備えるＣ１６に記載の装置。
［Ｃ１９］
前記システム情報タイプ３メッセージは、システム情報タイプ２１位置インジケータをさらに備えるＣ１６に記載の装置。
［Ｃ２０］
前記システム情報タイプ２１位置インジケータは、ＢＣＣＨ  Ｎｏｒｍに設定されるＣ１９に記載の装置。
［Ｃ２１］
前記システム情報タイプ２１位置インジケータは、ＢＣＣＨ  Ｅｘｔｅｎｄｅｄに設定されるＣ１９に記載の装置。
［Ｃ２２］
前記命令は、
第３のメッセージを生成し、及び
前記第３のメッセージをブロードキャストするためにさらに実行可能であり、前記第３のメッセージは、前記第２のメッセージがブロードキャストされていることを示すＣ１４に記載の装置。
［Ｃ２３］
前記第２のメッセージは、システム情報タイプ９メッセージであり、前記第３のメッセージは、システム情報タイプ３メッセージであり、前記システム情報タイプ３メッセージは、ＷＨＥＲＥフィールドを備えるＣ２２に記載の装置。
［Ｃ２４］
前記表示は、前記システム情報タイプ９メッセージ内のシステム情報タイプ９レストオクテット内に存在するＣ２３に記載の装置。
［Ｃ２５］
前記装置は、基地局であるＣ１４に記載の装置。
［Ｃ２６］
前記禁止表示は、拡張アクセス禁止情報を備えるＣ１４に記載の装置。
［Ｃ２７］
第１のメッセージのブロードキャストを検出するための方法であって、
第２のメッセージを受信することと、
前記第２のメッセージを復号することと、
前記第２のメッセージを使用して第１のメッセージがブロードキャストされているかどうかを決定することであって、前記第１のメッセージは、禁止表示を含むことと、を備える、方法。
［Ｃ２８］
前記第１のメッセージは、システム情報タイプ２１メッセージであるＣ２７に記載の方法。
［Ｃ２９］
前記第２のメッセージは、システム情報タイプ３メッセージであり、前記第２のメッセージを使用してシステム情報タイプ２１メッセージがブロードキャストされているかどうかを決定することは、
前記第２のメッセージがＷＨＥＲＥフィールドを備えると決定することと、
前記システム情報タイプ３メッセージ内のシステム情報タイプ３レストオクテットからの全フィールドを復号することと、
前記システム情報タイプ３レストオクテットがシステム情報タイプ２１メッセージインジケータを備えるかどうかを決定することと、を備えるＣ２８に記載の方法。
［Ｃ３０］
前記システム情報タイプ３レストオクテットは、システム情報タイプ２１メッセージインジケータを備えず、前記第２のメッセージを使用してシステム情報タイプ２１メッセージがブロードキャストされているかどうかを決定することは、セル内でシステム情報タイプ２１メッセージがブロードキャストされないと決定することをさらに備えるＣ２９に記載の方法。
［Ｃ３１］
前記システム情報タイプ３レストオクテットは、システム情報タイプ２１メッセージインジケータを備え、前記第２のメッセージを使用してシステム情報タイプ２１メッセージがブロードキャストされているかどうかを決定することは、セル内でシステム情報タイプ２１メッセージがブロードキャストされると決定することをさらに備えるＣ２９に記載の方法。
［Ｃ３２］
前記システム情報タイプ３メッセージは、システム情報タイプ２１インジケータをさらに備えるＣ３１に記載の方法。
［Ｃ３３］
前記システム情報タイプ３メッセージは、システム情報タイプ２１位置インジケータをさらに備えるＣ３１に記載の方法。
［Ｃ３４］
前記システム情報タイプ２１位置インジケータは、ＢＣＣＨ  Ｎｏｒｍに設定されるＣ３３に記載の方法。
［Ｃ３５］
前記システム情報タイプ２１位置インジケータは、ＢＣＣＨ  Ｅｘｔｅｎｄｅｄに設定されるＣ３３に記載の方法。
［Ｃ３６］
第３のメッセージを受信することをさらに備え、前記第３のメッセージは、前記第２のメッセージがブロードキャストされていることを示すＣ２８に記載の方法。
［Ｃ３７］
前記第３のメッセージは、ＷＨＥＲＥフィールドを備えないと決定することをさらに備え、前記第２のメッセージは、システム情報タイプ９メッセージであり、前記第３のメッセージは、システム情報タイプ３メッセージであるＣ３６に記載の方法。
［Ｃ３８］
前記システム情報タイプ９メッセージは、システム情報タイプ２１メッセージインジケータを備えず、前記第２のメッセージを使用してシステム情報タイプ２１メッセージがブロードキャストされているかどうかを決定することは、セル内でシステム情報タイプ２１メッセージがブロードキャストされないと決定することをさらに備えるＣ３７に記載の方法。
［Ｃ３９］
前記システム情報タイプメッセージは、システム情報タイプ２１メッセージインジケータを備え、前記第２のメッセージを使用してシステム情報タイプ２１メッセージがブロードキャストされているかどうかを決定することは、セル内でシステム情報タイプ２１メッセージがブロードキャストされると決定することをさらに備えるＣ３７に記載の方法。
［Ｃ４０］
前記方法は、無線通信デバイスによって実施されるＣ２７に記載の方法。
［Ｃ４１］
前記禁止表示は、拡張アクセス禁止情報を備えるＣ２７に記載の方法。
［Ｃ４２］
第１のメッセージのブロードキャストを検出するための装置であって、
プロセッサと、
前記プロセッサと電子的通信状態にあるメモリと、
前記メモリに格納された命令と、を備え、前記命令は、
第２のメッセージを受信し、
前記第２のメッセージを復号し、及び
前記第２のメッセージを使用して第１のメッセージがブロードキャストされているかどうかを決定するために前記プロセッサによって実行可能であり、前記第１のメッセージは、禁止表示を含む、装置。
［Ｃ４３］
第１のメッセージは、システム情報タイプ２１メッセージであるＣ４２に記載の装置。
［Ｃ４４］
前記第２のメッセージは、システム情報タイプ３メッセージであり、前記第２のメッセージを使用してシステム情報タイプ２１メッセージがブロードキャストされているかどうかを決定するために実行可能な前記命令は、
前記第２のメッセージはＷＨＥＲＥフィールドを備えると決定し、
前記システム情報タイプ３メッセージ内のシステム情報タイプ３レストオクテットからの全フィールドを復号し、及び
前記システム情報タイプ３レストオクテットがシステム情報タイプ２１メッセージインジケータを備えるかどうかを決定するために実行可能な命令を備えるＣ４３に記載の装置。
［Ｃ４５］
前記システム情報タイプ３レストオクテットは、システム情報タイプ２１メッセージインジケータを備えず、前記第２のメッセージを使用してシステム情報タイプ２１メッセージがブロードキャストされているかどうかを決定するために実行可能な前記命令は、セル内でシステム情報タイプ２１メッセージがブロードキャストされないと決定するために実行可能な命令をさらに備えるＣ４４に記載の装置。
［Ｃ４６］
前記システム情報タイプ３レストオクテットは、システム情報タイプ２１メッセージインジケータを備え、前記第２のメッセージを使用してシステム情報タイプ２１メッセージがブロードキャストされているかどうかを決定するために実行可能な前記命令は、セル内でシステム情報タイプ２１メッセージがブロードキャストされると決定するために実行可能な命令をさらに備えるＣ４４に記載の装置。
［Ｃ４７］
前記システム情報タイプ３メッセージは、システム情報タイプ２１インジケータをさらに備えるＣ４６に記載の装置。
［Ｃ４８］
前記システム情報タイプ３メッセージは、システム情報タイプ２１位置インジケータをさらに備えるＣ４６に記載の装置。
［Ｃ４９］
前記システム情報タイプ２１位置インジケータは、ＢＣＣＨ  Ｎｏｒｍに設定されるＣ４８に記載の装置。
［Ｃ５０］
前記システム情報タイプ２１位置インジケータは、ＢＣＣＨ  Ｅｘｔｅｎｄｅｄに設定されるＣ４８に記載の装置。
［Ｃ５１］
前記命令は、第３のメッセージを受信するためにさらに実行可能であり、前記第３のメッセージは、前記第２のメッセージがブロードキャストされていることを示すＣ４３に記載の装置。
［Ｃ５２］
前記命令は、前記第３のメッセージがＷＨＥＲＥフィールドを備えないと決定するためにさらに実行可能であり、前記第２のメッセージは、システム情報タイプ９メッセージであり、前記第３のメッセージは、システム情報タイプ３メッセージであるＣ５１に記載の装置。
［Ｃ５３］
前記システム情報タイプ９メッセージは、システム情報タイプ２１メッセージインジケータを備えず、前記第２のメッセージを使用してシステム情報タイプ２１メッセージがブロードキャストされているかどうかを決定するために実行可能な前記命令は、セル内でシステム情報タイプ２１メッセージがブロードキャストされないと決定するために実行可能な命令をさらに備えるＣ５２に記載の装置。
［Ｃ５４］
前記システム情報タイプメッセージは、システム情報タイプ２１メッセージインジケータを備え、前記第２のメッセージを使用してシステム情報タイプ２１メッセージがブロードキャストされているかどうかを決定するために実行可能な前記命令は、セル内でシステム情報タイプ２１メッセージがブロードキャストされると決定するために実行可能な命令をさらに備えるＣ５２に記載の装置。
［Ｃ５５］
前記装置は、無線通信デバイスであるＣ４２に記載の装置。
［Ｃ５６］
前記禁止表示は、拡張アクセス禁止情報を備えるＣ４２に記載の装置。
［Ｃ５７］
システム情報タイプ２１メッセージのブロードキャストをシグナリングするためのコンピュータプログラム製品であって、命令を有するコンピュータによって読み取り可能な媒体を備え、前記命令は、
第１のメッセージがセル内でブロードキャストされるべきであると決定することを基地局に行わせるためのコードであって、前記第１のメッセージは、禁止表示を含むコードと、
前記第１のメッセージがブロードキャストされるべきであることの表示を備える第２のメッセージを生成することを前記基地局に行わせるためのコードと、
前記第２のメッセージをブロードキャストすることを前記基地局に行わせるためのコードと、を備える、コンピュータプログラム製品。
［Ｃ５８］
前記第１のメッセージは、システム情報タイプ２１メッセージであるＣ５７に記載のコンピュータプログラム製品。
［Ｃ５９］
第１のメッセージのブロードキャストを検出するためのコンピュータプログラム製品であって、命令を有するコンピュータによって読み取り可能な媒体を備え、前記命令は、
第２のメッセージを受信することを無線通信デバイスに行わせるためのコードと、
前記第２のメッセージを復号することを前記無線通信デバイスに行わせるためのコードと、
前記第２のメッセージを使用して第１のメッセージがブロードキャストされているかどうかを決定することを前記無線通信デバイスに行わせるためのコードであって、前記第１のメッセージは、禁止表示を含むコードと、を備える、コンピュータプログラム製品
［Ｃ６０］
前記第１のメッセージは、システム情報タイプ２１メッセージであるＣ５９に記載のコンピュータプログラム製品
［Ｃ６１］
メッセージのブロードキャストをシグナリングするための装置であって、
セル内で第１のメッセージがブロードキャストされるべきであると決定するための手段であって、前記第１のメッセージは、禁止表示を含む手段と、
システム情報タイプ３メッセージである第２のメッセージを生成するための手段であって、前記第２のメッセージは、前記第１のメッセージがブロードキャストされるべきであるとの表示を備える手段と、
前記第２のメッセージをブロードキャストするための手段と、を備える、装置。
［Ｃ６２］
前記新メッセージは、システム情報タイプ２１メッセージであるＣ６１に記載の装置。
［Ｃ６３］
第１のメッセージのブロードキャストを検出するための装置であって、
第２のメッセージを受信するための手段と、
前記第２のメッセージを復号するための手段と、
前記第２のメッセージを使用して第１のメッセージがブロードキャストされているかどうかを決定するための手段であって、前記第１のメッセージは、禁止表示を含む手段と、を備える、装置。
［Ｃ６４］
前記新メッセージは、システム情報タイプ２１メッセージであるＣ６２に記載の装置。
【図１】
0005813857.tif 000007
【図２】
0005813857.tif 000008
【図３】
0005813857.tif 000009
【図４】
0005813857.tif 000010
【図５】
0005813857.tif 000011
【図６】
0005813857.tif 000012
【図７】
0005813857.tif 000013
【図８】
0005813857.tif 000014
【図９】
0005813857.tif 000015
【図１０】
0005813857.tif 000016
【図１１】
0005813857.tif 000017
【図１２】
0005813857.tif 000018
【図１３】
0005813857.tif 000019
【図１４】
0005813857.tif 000020
【図１５】
0005813857.tif 000021